(57)【特許請求の範囲】
【請求項１】
ユーザＬＡＮと通信事業者の広域ＬＡＮとを１以上の中継地を介した光ファイバ伝送路により接続するＬＡＮ間接続システムであって、
該システムは、通信事業者側に設置されて広域ＬＡＮと光ファイバ伝送路との間に伝送する所定のデータフレームを電気−光変換してそのデータフレームを媒体アクセス制御により転送する第１の変換装置と、ユーザ宅内に設置されてユーザＬＡＮと光ファイバ伝送路との間に伝送するデータフレームを電気−光変換してそのデータフレームを媒体アクセス制御により転送する第２の変換装置と、それぞれの中継地に設置されて電気伝送路により相互に接続された第１および第２の中継器を含む中継装置であって、それぞれ光ファイバ伝送路により転送されるデータフレームを電気−光変換してそのデータフレームを媒体アクセス制御により転送する第１および第２の中継器を含む中継装置とを有し、
第１の変換装置は、第２の変換装置または中継装置の第１もしくは第２の中継器との間のループバック試験をそれぞれ制御する制御パケットであってその制御パケットを受けた第２の変換装置または中継装置の第１もしくは第２の中継器でのデータフレームの転送処理の際にループバック試験対象の装置において検出後に破棄される一方、ループバック試験設定を指示する制御パケットを送出し、さらにデータフレームと同様のパケットに形成された試験パケットを送出してループバック試験をする制御手段を含み、
さらに、中継装置の第１及び第２の中継器は、第１の変換装置から第２の変換装置または下位の第１もしくは第２の中継器への制御パケットまたはその応答パケットが自装置を通過する際にそれらのパケットに自装置を通過したことを表わす識別符号を付与して転送する識別符号付与手段を含み、
第２の変換装置と中継装置の第１及び第２の中継器は、それぞれ第１の変換装置からの制御パケットに基づいてユーザ側との物理層終端点をループバック状態に設定して、光ファイバ伝送路または電気伝送路を介して受信した試験パケットを第１の変換装置に折り返してループバック制御する制御手段を含み、
中継装置の第１および第２の中継器の制御手段は、該装置と第２の変換装置との間のループバック試験を制御する制御パケットであってその制御パケットを受けた第２の変換装置でのデータフレームの転送処理の際に第２の変換装置において検出後に破棄される一方、ループバック試験設定を指示する制御パケットを送出し、データフレームと同様のパケットに形成された試験パケットを送出して第２の変換装置との間のループバック試験をし、
第２の変換装置の制御手段は、中継装置の第１又は第２の中継器からの制御パケットに基づいてユーザ側との物理層終端点をループバック状態に設定して、光ファイバ伝送路または電気伝送路を介して受信した試験パケットを試験パケットを送出した中継装置の第１もしくは第２の中継器に折り返してループバック制御することを特徴とするＬＡＮ間接続システム。
【請求項２】
請求項１に記載のＬＡＮ間接続システムにおいて、前記制御パケットは、光ファイバ伝送路を介して転送処理するデータフレームの最短パケット長よりもさらに短いパケット長に形成されたパケットであり、少なくとも、ループバック試験の制御の種別を表わす所定のパターンと、いずれの装置への制御パケットであるかを表わす識別符号とを含むことを特徴とするＬＡＮ間接続システム。
【請求項３】
請求項１に記載のＬＡＮ間接続システムにおいて、前記制御パケットは、光ファイバ伝送路を介して転送処理するデータフレームのパケット長と同様の長さのパケットであって、少なくとも、ループバック試験の制御の種別を表わす所定のパターンと、いずれの装置への制御パケットであるかを表わす識別符号と、制御パケットの誤り訂正符号であって強制的に誤りを含ませた誤り訂正符号とを含むことを特徴とするＬＡＮ間接続システム。
【請求項４】
請求項２または請求項３に記載のＬＡＮ間接続システムにおいて、前記第１の変換装置または前記中継装置の第１もしくは第２の中継器のそれぞれの制御手段は、識別符号としてループバック試験をする装置のうち下位の装置に至るほど大となる値の識別符号を制御パケットに付加して送信し、前記中継装置の第１および第２の中継器の識別符号付与手段は、前記第１の変換装置または上位の第１もしくは第２の中継器からの制御パケットが自装置を通過する際に、その識別符号から所定の値を減算して転送し、その応答パケットが通過する際に所定の値を加算して転送することを特徴とするＬＡＮ間接続システム。
【請求項５】
請求項１ないし請求項４のいずれかに記載のＬＡＮ間接続システムにおいて、前記第１の変換装置は、広域ＬＡＮと接続された電気物理層を終端する電気物理層終端手段と、光ファイバ伝送路と接続された光物理層を終端する光物理層終端手段と、該終端手段間においてデータフレームをそのＭＡＣアドレスに従って転送するＭＡＣスイッチと、該ＭＡＣスイッチと前記光物理層終端手段との間において前記制御手段からの制御パケットを光ファイバ伝送路への送信経路に挿入してその制御パケットに対する前記第２の変換装置または前記中継装置の第１もしくは第２の中継器からの応答パケットを受信経路から検出する第１のパケット挿入検出手段と、前記ＭＡＣスイッチと電気物理層終端手段との間において前記制御手段からの試験パケットを光ファイバ伝送路への送信経路に挿入してその光ファイバ伝送路を介してループバックされた試験パケットを受信経路から検出する第２のパケット挿入検出手段とを含むことを特徴とするＬＡＮ間接続システム。
【請求項６】
請求項５に記載のＬＡＮ間接続システムにおいて、前記第１の変換装置の制御手段は、少なくとも、ループバック試験の際にその起動パケットおよび終了パケットを含む制御パケットならびに試験パケットをそれぞれ生成するパケット生成手段と、起動パケットに対する応答パケットおよびループバックされた試験パケットを検出するパケット検出手段と、ループバックされた試験パケットが送信した試験パケットと一致するか否かを比較するパケット比較手段と、その結果を外部に報知する報知手段とを含むことを特徴とするＬＡＮ間接続システム。
【請求項７】
請求項１ないし請求項６のいずれかに記載のＬＡＮ間接続システムにおいて、前記中継装置の第１および第２の中継器はそれぞれ、光ファイバ伝送路と接続された光物理層を終端する光物理層終端手段と、電気伝送路と接続された電気物理層を終端する電気物理層終端手段と、該終端手段間においてデータフレームをそのＭＡＣアドレスに従って転送するＭＡＣスイッチと、該ＭＡＣスイッチと前記光物理層終端手段または前記電気物理層終端手段との間において前記第１の変換装置からの制御パケットをその受信経路から検出して自装置の制御手段に供給し、該制御手段からの応答パケットを光ファイバ伝送路への送信経路に挿入するパケット挿入検出手段とを含むことを特徴とするＬＡＮ間接続システム。
【請求項８】
請求項７に記載のＬＡＮ間接続システムにおいて、前記第１および第２の中継器の制御手段は少なくとも、前記第１の変換装置からの起動パケットおよび終了パケットを含む制御パケットをそれぞれ検出するパケット検出手段と、該パケット検出手段により検出した制御パケットの識別符号を所定の値と比較して自装置宛のパケットか否かを識別する符号識別手段と、該符号識別手段により検出した識別符号が自装置宛のものでない場合にその識別符号に所定の値を加算または減算する識別符号演算手段と、前記符号識別手段により自装置宛の起動パケットを検出した際にその応答パケットを生成し、他の装置宛の制御パケットを検出した際に前記識別符号演算手段により演算した結果を制御パケットに付加するパケット生成手段と、前記符号識別手段により自装置宛の起動パケットを検出した際に前記光物理層終端手段または前記電気物理層終端手段をループバック状態に設定し、終了パケットを受けた際にループバック状態を解除するループ設定解除手段とを含むことを特徴とするＬＡＮ間接続システム。
【請求項９】
請求項７または請求項８に記載のＬＡＮ間接続システムにおいて、前記第１または第２の中継器は、前記ＭＡＣスイッチと前記電気物理層終端手段または前記光物理層終端手段との間において前記制御手段からの制御パケットを前記第２の変換装置への送信経路に挿入してその制御パケットに対する前記第２の変換装置からの応答パケットを受信経路から検出する第１のパケット挿入検出手段と、前記ＭＡＣスイッチと前記光物理層終端手段または前記電気物理層終端手段との間において前記制御手段からの試験パケットを前記第２の変換装置への送信経路に挿入して、そのループバックされた試験パケットを受信経路から検出する第２のパケット挿入検出手段とを含み、前記制御手段は、ループバック試験の際にその起動パケットおよび終了パケットを含む制御パケットならびに試験パケットをそれぞれ生成するパケット生成手段と、起動パケットに対する応答パケットおよびループバックされた試験パケットを検出するパケット検出手段と、ループバックされた試験パケットが送信した試験パケットと一致するか否かを比較するパケット比較手段と、その結果を外部に報知する報知手段とを含むことを特徴とするＬＡＮ間接続システム。
【請求項１０】
請求項１ないし請求項９のいずれかに記載のＬＡＮ間接続システムにおいて、前記第２の変換装置は、ユーザＬＡＮと接続された電気物理層を終端する電気物理層終端手段と、光ファイバ伝送路と接続された光物理層を終端する光物理層終端手段と、該終端手段間においてデータフレームをそのＭＡＣアドレスに従って転送するＭＡＣスイッチと、該ＭＡＣスイッチと前記光物理層終端手段との間において前記第１の変換装置または前記中継装置の第１もしくは第２の中継器からの制御パケットをその受信経路から検出して前記制御手段に供給し、該制御手段からの応答パケットを光ファイバ伝送路への送信経路に挿入するパケット挿入検出手段とを含むことを特徴とするＬＡＮ間接続システム。
【請求項１１】
請求項１０に記載のＬＡＮ間接続システムにおいて、前記第２の変換装置の制御手段は、少なくとも、前記第１の変換装置または前記中継装置の第１もしくは第２の中継器からの起動パケットおよび終了パケットを含む制御パケットをそれぞれ検出するパケット検出手段と、該パケット検出手段において起動パケットを検出した際にその応答パケットを生成するパケット生成手段と、前記パケット検出手段において起動パケットを受けた際に前記電気物理層終端手段をループバック状態に設定し、終了パケットを受けた際にループバック状態を解除するループ設定解除手段とを含むことを特徴とするＬＡＮ間接続システム。
【請求項１２】
ユーザＬＡＮと通信事業者の広域ＬＡＮとを１以上の中継地を介した光ファイバ伝送路により接続するＬＡＮ間接続システムにおけるループバック試験方式であって、
通信事業者側にその広域ＬＡＮと光ファイバ伝送路との間に伝送する所定のデータフレームを電気−光変換してそのデータフレームを媒体アクセス制御により転送する第１の変換装置を用意し、ユーザ宅内側にそのユーザＬＡＮと光ファイバ伝送路との間に伝送するデータフレームを電気−光変換してそのデータフレームを媒体アクセス制御により転送する第２の変換装置を用意し、さらにそれぞれの中継地に電気伝送路により相互に接続された第１および第２の中継器を含む中継装置であって、それぞれ光ファイバ伝送路により転送されるデータフレームを電気−光変換してそのデータフレームを媒体アクセス制御により転送する第１および第２の中継器を含む中継装置を用意し、
前記第１の変換装置から前記第２の変換装置または前記中継装置の第１もしくは第２の中継器のうち所望の装置にループバック試験を指示する起動パケットであってループバック試験対象の装置において検出後に破棄される起動パケットをそれぞれの中継地を介した光ファイバ伝送路により送信し、
該起動パケットが通過する中継地では、その中継装置の第１および第２の中継器により起動パケットに付加された識別符号の値に基づいてそのパケットが自装置宛のパケットであるか否かを判断して、自装置宛のパケットでない場合に、その起動パケットに自装置を通過したことを表わす識別符号を付与して転送し、
該起動パケットを受信した第２の変換装置または中継装置の第１もしくは第２の中継器の所望の装置では、ユーザＬＡＮとの電気物理層終端点またはユーザ側との光物理層終端点もしくは第２の中継器との電気物理層終端点をループバック状態に設定し、その起動パケットに対して第１の変換装置に応答する応答パケットであって第１の変換装置において検出後に破棄される応答パケットを第１の変換装置に返送し、
該応答パケットが通過する中継地では、その中継装置の第１および第２の中継器により自装置を通過したことを表わす識別符号を付与して第１の変換装置に転送し、
該応答パケットを受信した第１の変換装置では、所定のデータフレームと同様のパケットに形成された試験パケットを中継地を介した光ファイバ伝送路により所望の装置に送信し、
該試験パケットを受信した第２の変換装置または中継装置の第１もしくは第２の中継器では、その試験パケットをユーザＬＡＮとの電気物理層終端点またはユーザ側との光物理層終端点もしくは第２の中継器との電気物理層終端点にて折り返して再び光ファイバ伝送路を介して第１の変換装置にループバックし、
該ループバックされた試験パケットを第１の変換装置において受信して送信した試験パケットとループバックされた試験パケットが一致するか否かを比較してその結果を外部に報知し、
さらに、いずれかの中継地における前記中継装置の第１または第２の中継器から前記第２の変換装置に対して起動パケットを送信し、該起動パケットが通過する下位の第１または第２の中継器では、その起動パケットに自装置を通過したことを表わす識別符号を付与して転送し、
該起動パケットを受けた第２の変換装置ではその起動パケットに対する応答パケットを返送し、
その応答パケットが通過する上位の第１または第２の中継器ではその通過を表わす識別符号を付加して転送し、
該応答パケットを受けた起動パケットを送信した第１または第２の中継器では、所定のデータフレームと同様のパケットに形成された試験パケットを中継地を介した光ファイバ伝送路により第２の変換装置に送信し、
該試験パケットを受信した第２の変換装置では、その試験パケットをユーザＬＡＮとの電気物理層終端点にて折り返して再び光ファイバ伝送路を介してループバックし、
該ループバックされた試験パケットを受信した前記第１または第２の中継器では、送信した試験パケットとループバックされた試験パケットが一致するか否かを比較してその結果を外部に報知することを特徴とするＬＡＮ間接続システムにおけるループバック試験方法。
【請求項１３】
請求項１２に記載のループバック試験方法において、前記第１の変換装置または中継装置の第１もしくは第２の中継器はそれぞれ、ループバック試験を終了する際に前記第２の変換装置または前記中継器の第１もしくは第２の中継器のうちループバック試験対象の装置において検出後に破棄される終了パケットを光ファイバ伝送路を介して送信して通常のデータ通信可能な状態に戻り、該終了パケットを受けた第２の変換装置または中継装置の第１もしくは第２の中継器はそれぞれの折り返し終端点のループバック設定を解除して通常のデータ通信可能な状態に戻ることを特徴とするＬＡＮ間接続システムにおけるループバック試験方法。
【請求項１４】
請求項１３に記載のループバック試験方法において、前記起動パケットおよび応答パケットならびに終了パケットは、転送処理するデータフレームの最短パケット長よりもさらに短いパケット長に形成されたパケットであり、少なくとも制御の種別を表わす所定のパターンと、いずれの装置へのパケットであるかを表わす識別符号とを含むことを特徴とするＬＡＮ間接続システムにおけるループバック試験方法。
【請求項１５】
請求項１３に記載のループバック試験方法において、前記起動パケットおよび応答パケットならびに終了パケットは、転送処理するデータフレームのパケット長と同様の長さのパケットであって、少なくとも、制御の種別を表わす所定のパターンと、いずれの装置へのパケットであるかを表わす識別符号と、そのパケットの誤り訂正符号であって誤りを強制的に含ませた誤り訂正符号とを含むことを特徴とするＬＡＮ間接続システムにおけるループバック試験方法。
【請求項１６】
請求項１４または請求項１５に記載のループバック試験方法において、前記第１の変換装置または前記中継装置の第１もしくは第２の中継器は、識別符号としてループバック試験をする装置のうち下位の装置に至るほど大となる値の識別符号を制御パケットに付加して送信し、前記中継装置の第１および第２の中継器は、前記第１の変換装置からの制御パケットが自装置を通過する際に、その識別符号から所定の値を減算して転送し、その応答パケットが通過する際に所定の値を加算して転送することを特徴とするＬＡＮ間接続システムにおけるループバック試験方法。
【発明の詳細な説明】
【０００１】
【発明の属する技術分野】
本発明は、ＬＡＮ間接続システムおよびそのループバック試験方式に係り、特に、たとえばイーサネットフレームを伝送するＬＡＮ間接続システムおよびそのループバック試験方法に関するものである。
【０００２】
【従来の技術】
近年、ＬＡＮ(local area network)技術をベースとした広域ＬＡＮが各地域にそれぞれ構築されて、これらをさらに高速広帯域の基幹網により接続した広域網が全国規模において展開されて、その実用化が図られつつある。その伝送路基盤としては光ファイバが適用されて、いわゆるＦＴＴＯ(fiberto the office) あるいはＦＴＴＨ(fiber to the home) と呼ばれるユーザ接続まで拡張したネットワークサービスが提供されるようになってきた。
【０００３】
また、周知のように、ＬＡＮ同士を接続するＬＡＮ間接続装置としては、ＯＳＩ(opensystems interconnection)モデルのデータリンク層レベルでの接続をするブリッジと、ネットワーク層レベルでの接続をするルータと、トランスポート層以上の上位レベルでの接続をするゲートウェイなどが知られている。特に、ブリッジ方式のＬＡＮ間接続は、共通のデータリンク層を介して接続するため、ＴＣＰ／ＩＰ(transmissioncontrol protocol/internet protocol) などの上位のプロトコルに関係なくＬＡＮ同士を安価な装置により接続することができる。
【０００４】
【発明が解決しようとする課題】
ところで、ユーザＬＡＮを上記のような通信事業者の広域ＬＡＮに中継地を介した光ファイバ伝送路により接続する場合に、光ファイバ伝送路の宅内側の終端点に通信事業者の責任分解点が位置付けられ、中継地を含むその終端点までの保守および監視機能が必要となってくる。しかしながら、上述のような従来のＬＡＮ間接続装置では、十分な保守監視機能がなくその開発が望まれていた。特に、ブリッジ方式の終端装置を適用した場合には、ブロードキャスティングフレームを通過させてしまうという欠点があり、たとえばループバック試験を実施する場合に制御パケットや試験パケットがそれぞれのＬＡＮ側まで通過してしまい、さらに他の網に流出したパケットが通信に悪影響を及ぼすおそれがあった。また、伝送路の途中において障害が発生している場合、その中継地とのループバック試験をする必要性などが生じてきた。この場合、ユーザＬＡＮと中継地の間の障害であるのか、または中継地と通信事業者までの伝送路において生じた障害であるのかを区別する機能が必要となるなどの課題があった。
【０００５】
本発明は、上記のような課題に鑑みてなされたものであり、ユーザＬＡＮを通信事業者の広域ＬＡＮに安価な装置によりＬＡＮ間接続することができ、さらに中継地を含む光ファイバ伝送路の試験を有効に実施することができるＬＡＮ間接続システムおよびそのループバック試験方法を提供することを目的とする。
【０００６】
【課題を解決するための手段】
本発明によるＬＡＮ間接続システムは上述の課題を解決するために、ユーザＬＡＮと通信事業者の広域ＬＡＮとを１以上の中継地を介した光ファイバ伝送路により接続するＬＡＮ間接続システムであって、通信事業者側に設置されて広域ＬＡＮ２０と光ファイバ伝送路４０との間に伝送する所定のデータフレームを電気−光変換してそのデータフレームを媒体アクセス制御により転送する第１の変換装置５０と、ユーザ宅内に設置されてユーザＬＡＮと光ファイバ伝送路との間に伝送するデータフレームを電気−光変換してそのデータフレームを媒体アクセス制御により転送する第２の変換装置６０と、それぞれの中継地３０に設置されて電気伝送路３００により相互に接続された第１および第２の中継器を含む中継装置であって、それぞれ光ファイバ伝送路により転送されるデータフレームを電気−光変換してそのデータフレームを媒体アクセス制御により転送する第１および第２の中継器８０，９０を含む中継装置７０とを有し、第１の変換装置は、第２の変換装置または中継装置の第１もしくは第２の中継器との間のループバック試験をそれぞれ制御する制御パケットであってその制御パケットを受けた第２の変換装置または中継装置の第１もしくは第２の中継器でのデータフレームの転送処理の際にループバック試験対象の装置において検出後に破棄される一方、ループバック試験設定を指示する制御パケットを送出し、さらにデータフレームと同様のパケットに形成された試験パケットを送出してループバック試験をする制御手段５１２を含み、さらに、中継装置の第１および第２の中継器８０，９０は、第１の変換装置から第２の変換装置または下位の第１もしくは第２の中継器への制御パケットまたはその応答パケットが自装置を通過する際に、それらのパケットに自装置を通過したことを表わす識別符号を付与して転送する識別符号付与手段８４２，９４２を含み、第２の変換装置６０と中継装置の第１および第２の中継器８０，９０は、それぞれ第１の変換装置からの制御パケットに基づいてユーザ側との物理層終端点６１０，８１０，９１０をループバック状態に設定して、光ファイバ伝送路または電気伝送路を介して受信した試験パケットを前記第１の変換装置５０に折り返してループバック制御する制御手段６１２，８１２，９１２を含み、さらに、中継装置の第１および第２の中継器８０，９０の制御手段８１２，９１２は、それぞれ第２の変換装置６０との間のループバック試験を制御する制御パケットであってその制御パケットを受けた第１の変換装置５０でのデータフレームの転送処理の際に第２の変換装置６０において検出後に破棄される一方、ループバック試験設定を指示する制御パケットを送出し、さらにデータフレームと同様のパケットに形成された試験パケットを送出して第２の変換装置との間のループバック試験をし、第２の変換装置６０の制御手段６１２は、中継装置の第１又は第２の中継器８０，９０からの制御パケットに基づいてユーザ側との物理層終端点６１０をループバック状態に設定して、光ファイバ伝送路または電気伝送路を介して受信した試験パケットを該試験パケットを送出した中継装置の第１もしくは第２の中継器８０，９０に折り返してループバック制御するとよい。
【０００７】
これらの場合、制御パケットは、光ファイバ伝送路４０を介して転送処理するデータフレームの最短パケット長よりもさらに短いパケット長に形成されたパケットであり、少なくとも、ループバック試験の制御の種別を表わす所定のパターンと、いずれの装置への制御パケットであるかを表わす識別符号とを含むとよい。
【０００８】
また、制御パケットは、光ファイバ伝送路４０を介して転送処理するデータフレームのパケット長と同様の長さのパケットであって、少なくとも、ループバック試験の制御の種別を表わす所定のパターンと、いずれの装置への制御パケットであるかを表わす識別符号と、制御パケットの誤り訂正符号であって強制的に誤りを含ませた誤り訂正符号とを含むものであってもよい。
【０００９】
有利には、第１の変換装置５０または中継装置の第１もしくは第２の中継器８０，９０のそれぞれの制御手段５１２，８１２，９１２は、識別符号としてループバック試験をする装置のうち下位の装置に至るほど大となる値の識別符号を制御パケットに付加して送信し、中継装置の第１および第２の中継器の識別符号付与手段８４２，９４２は、第１の変換装置５０からの制御パケットが自装置を通過する際に、その識別符号から所定の値を減算して転送し、その応答パケットが通過する際に所定の値を加算して転送するとよい。
【００１０】
また、第１の変換装置５０は、広域ＬＡＮ２０と接続された電気物理層を終端する電気物理層終端手段５０２と、光ファイバ伝送路と接続された光物理層を終端する光物理層終端手段５１０と、終端手段間においてデータフレームをそのＭＡＣアドレスに従って転送するＭＡＣスイッチ５０４と、ＭＡＣスイッチと光物理層終端手段との間において制御手段５１２からの制御パケットを光ファイバ伝送路４０への送信経路に挿入してその制御パケットに対する第２の変換装置または中継装置の第１もしくは第２の中継器からの応答パケットを受信経路から検出する第１のパケット挿入検出手段５０８と、ＭＡＣスイッチと電気物理層終端手段との間において制御手段からの試験パケットを光ファイバ伝送路への送信経路に挿入してその光ファイバ伝送路を介してループバックされた試験パケットを受信経路から検出する第２のパケット挿入検出手段５０６とを含むとよい。
【００１１】
この場合、第１の変換装置の制御手段５１２は、少なくとも、ループバック試験の際にその起動パケットおよび終了パケットを含む制御パケットならびに試験パケットをそれぞれ生成するパケット生成手段５３６と、起動パケットに対する応答パケットおよびループバックされた試験パケットを検出するパケット検出手段５４２と、ループバックされた試験パケットが送信した試験パケットと一致するか否かを比較するパケット比較手段５４４と、その結果を外部に報知する報知手段とを含むとよい。
【００１２】
また、中継装置の第１および第２の中継器８０，９０はそれぞれ、光ファイバ伝送路４０と接続された光物理層を終端する光物理層終端手段８０２，９１０と、電気伝送路３００と接続された電気物理層を終端する電気物理層終端手段８１０，９０２と、これら終端手段間においてデータフレームをそのＭＡＣアドレスに従って転送するＭＡＣスイッチ８０４，９０４と、ＭＡＣスイッチと光物理層終端手段または電気物理層終端手段との間において制御パケットをその受信経路から検出して自装置の制御手段８１２，９１２に供給し、制御手段からの応答パケットを光ファイバ伝送路への送信経路に挿入するパケット挿入検出手段８０６，８０８，９０６，９０８とを含むとよい。
【００１３】
この場合、第１および第２の中継器の制御手段８１２，９１２は少なくとも、第１の変換装置５０からの起動パケットおよび終了パケットを含む制御パケットをそれぞれ検出するパケット検出手段８４４，９４４と、パケット検出手段により検出した制御パケットの識別符号を所定の値と比較して自装置宛のパケットか否かを識別する符号識別手段８５０，９５０と、符号識別手段により検出した識別符号が自装置宛のものでない場合にその識別符号に所定の値を加算または減算する識別符号演算手段８５２，９５２と、符号識別手段により自装置宛の起動パケットを検出した際にその応答パケットを生成し、他の装置宛の制御パケットを検出した際に識別符号演算手段により演算した結果を制御パケットに付加するパケット生成手段８３６，９３６と、符号識別手段により自装置宛の起動パケットを検出した際に光物理層終端手段または電気物理層終端手段をループバック状態に設定し、終了パケットを受けた際にループバック状態を解除するループ設定解除手段とを含むとよい。
【００１４】
さらに、第１または第２の中継器８０，９０は、ＭＡＣスイッチ８０４，９０４と電気物理層終端手段８１０，９０２または光物理層終端手段８０２，９１０との間において制御手段８１２，９１２からの制御パケットを第２の変換装置６０への送信経路に挿入してその制御パケットに対する第２の変換装置からの応答パケットを受信経路から検出する第１のパケット挿入検出手段８０６，９０６と、ＭＡＣスイッチと光物理層終端手段または電気物理層終端手段との間において制御手段からの試験パケットを第２の変換装置への送信経路に挿入して、そのループバックされた試験パケットを受信経路から検出する第２のパケット挿入検出手段８０８，９０８とを含み、その制御手段は、ループバック試験の際にその起動パケットおよび終了パケットを含む制御パケットならびに試験パケットをそれぞれ生成するパケット生成手段８３６，９３６と、起動パケットに対する応答パケットおよびループバックされた試験パケットを検出するパケット検出手段８４４，９４４と、ループバックされた試験パケットが送信した試験パケットと一致するか否かを比較するパケット比較手段８４６，９４６と、その結果を外部に報知する報知手段とを含むと有利である。
【００１５】
また、第２の変換装置６０は、ユーザＬＡＮ１０と接続された電気物理層を終端する電気物理層終端手段６１０と、光ファイバ伝送路と接続された光物理層を終端する光物理層終端手段６０２と、これら終端手段間においてデータフレームをそのＭＡＣアドレスに従って転送するＭＡＣスイッチ６０４と、ＭＡＣスイッチと光物理層終端手段との間において第１の変換装置または中継装置の第１もしくは第２の中継器からの制御パケットをその受信経路から検出して制御手段に供給し、制御手段からの応答パケットを光ファイバ伝送路への送信経路に挿入するパケット挿入検出手段６０６とを含むとよい。
【００１６】
この場合、第２の変換装置の制御手段６１２は少なくとも、第１の変換装置または中継装置の第１もしくは第２の中継器からの起動パケットおよび終了パケットを含む制御パケットをそれぞれ検出するパケット検出手段６４２と、パケット検出手段において起動パケットを検出した際にその応答パケットを生成するパケット生成手段６３６と、パケット検出手段において起動パケットを受けた際に電気物理層終端手段をループバック状態に設定し、終了パケットを受けた際にループバック状態を解除するループ設定解除手段とを含むと有利である。
【００１７】
一方、本発明によるループバック試験方法は、ユーザＬＡＮと通信事業者の広域ＬＡＮとを１以上の中継地を介した光ファイバ伝送路により接続するＬＡＮ間接続システムにおけるループバック試験方法であって、通信事業者側にその広域ＬＡＮと光ファイバ伝送路との間に伝送する所定のデータフレームを電気−光変換してそのデータフレームを媒体アクセス制御により転送する第１の変換装置５０を用意し、ユーザ宅内側にそのユーザＬＡＮと光ファイバ伝送路との間に伝送するデータフレームを電気−光変換してそのデータフレームを媒体アクセス制御により転送する第２の変換装置６０を用意し、さらにそれぞれの中継地に電気伝送路３００により相互に接続された第１および第２の中継器を含む中継装置であって、それぞれ光ファイバ伝送路により転送されるデータフレームを電気−光変換してそのデータフレームを媒体アクセス制御により転送する第１および第２の中継器８０，９０を含む中継装置７０を用意し、第１の変換装置５０から第２の変換装置６０または中継装置７０の第１もしくは第２の中継器８０，９０のうち所望の装置にループバック試験を指示する起動パケットであってループバック試験対象の装置において検出後に破棄される起動パケットをそれぞれの中継地を介した光ファイバ伝送路４０により送信し、その起動パケットが通過する中継地では、その中継装置７０の第１および第２の中継器８０，９０により起動パケットに付加された識別符号の値に基づいてそのパケットが自装置宛のパケットであるか否かを判断して、自装置宛のパケットでない場合に、その起動パケットに自装置を通過したことを表わす識別符号を付与して転送し、起動パケットを受信した第２の変換装置６０または中継装置７０の第１もしくは第２の中継器８０，９０の所望の装置では、ユーザＬＡＮとの電気物理層終端点６１０またはユーザ側との光物理層終端点９１０もしくは第２の中継器との電気物理層終端点８１０をループバック状態に設定し、その起動パケットに対して第１の変換装置５０に応答する応答パケットであって第１の変換装置において検出後に破棄される応答パケットを第１の変換装置５０に返送し、応答パケットが通過する中継地では、その中継装置の第１および第２の中継器により自装置を通過したことを表わす識別符号を付与して第１の変換装置に転送し、応答パケットを受信した第１の変換装置では、所定のデータフレームと同様のパケットに形成された試験パケットを中継地を介した光ファイバ伝送路４０により所望の装置に送信し、試験パケットを受信した第２の変換装置６０または中継装置の第１もしくは第２の中継器８０，９０では、その試験パケットをユーザＬＡＮとの電気物理層終端点６１０またはユーザ側との光物理層終端点９１０もしくは第２の中継器との電気物理層終端点８１０にて折り返して再び光ファイバ伝送路４０を介して第１の変換装置５０にループバックし、ループバックされた試験パケットを第１の変換装置５０において受信して送信した試験パケットとループバックされた試験パケットが一致するか否かを比較してその結果を外部に報知し、さらに、いずれかの中継地における中継装置の第１または第２の中継器から第２の変換装置に対して起動パケットを送信し、その起動パケットが通過する下位の第１または第２の中継器では、その起動パケットに自装置を通過したことを表わす識別符号を付与して転送し、その起動パケットを受けた第２の変換装置ではその起動パケットに対する応答パケットを返送し、その応答パケットが通過する上位の第１または第２の中継器ではその通過を表わす識別符号を付加して転送し、その応答パケットを受けた起動パケットを送信した第１または第２の中継器では、所定のデータフレームと同様のパケットに形成された試験パケットを中継地を介した光ファイバ伝送路により第２の変換装置に送信し、その試験パケットを受信した第２の変換装置では、その試験パケットをユーザＬＡＮとの電気物理層終端点にて折り返して再び光ファイバ伝送路を介してループバックし、そのループバックされた試験パケットを受信した第１または第２の中継器では、送信した試験パケットとループバックされた試験パケットが一致するか否かを比較してその結果を外部に報知するとよい。
【００１８】
これらの場合、第１の変換装置５０または中継装置７０の第１もしくは第２の中継器８０，９０はそれぞれ、ループバック試験を終了する際に第２の変換装置６０または中継器の第１もしくは第２の中継器８０，９０のうちループバック試験対象の装置において検出後に破棄される終了パケットを光ファイバ伝送路４０を介して送信して通常のデータ通信可能な状態に戻り、終了パケットを受けた第２の変換装置６０または中継装置７０の第１もしくは第２の中継器８０，９０はそれぞれの折り返し終端点のループバック設定を解除して通常のデータ通信可能な状態に戻るとよい。
【００１９】
その際、起動パケットおよび応答パケットならびに終了パケットは、転送処理するデータフレームの最短パケット長よりもさらに短いパケット長に形成されたパケットであり、少なくとも制御の種別を表わす所定のパターンと、いずれの装置へのパケットであるかを表わす識別符号とを含むとよい。
【００２０】
また、起動パケットおよび応答パケットならびに終了パケットは、転送処理するデータフレームのパケット長と同様の長さのパケットであって、少なくとも、制御の種別を表わす所定のパターンと、いずれの装置へのパケットであるかを表わす識別符号と、そのパケットの誤り訂正符号であって誤りを強制的に含ませた誤り訂正符号とを含むものであってもよい。
【００２１】
さらに、第１の変換装置５０または中継装置の第１もしくは第２の中継器８０，９０は、識別符号としてループバック試験をする装置のうち下位の装置に至るほど大となる値の識別符号を制御パケットに付加して送信し、中継装置８０，９０の第１および第２の中継器は、前記第１の変換装置５０からの制御パケットが自装置を通過する際に、その識別符号から所定の値を減算して転送し、その応答パケットが通過する際に所定の値を加算して転送するとよい。
【００２２】
【発明の実施の形態】
次に、添付図面を参照して本発明によるＬＡＮ間接続システムおよびそのループバック試験方法の実施の形態を詳細に説明する。図１には、本発明によるＬＡＮ間接続システムの一実施形態が示されている。本実施形態によるＬＡＮ間接続システムは、図２に示すように、たとえば５０ｋｍ以上離れたユーザＬＡＮ１０と通信事業者の広域ＬＡＮ２０とを中継地３０を介した光ファイバ伝送路４０，４０により接続する加入者アクセス系のユーザ・網インタフェースであり、本実施形態では、光ファイバ伝送路４０，４０と、局側に接続された光変換ブリッジ（第１の変換装置（ＭＣ））５０と、ユーザ宅側に接続された光変換リピータ（第２の変換装置（ＭＣ））６０と、中継地３０に設置されて電気伝送路３００により接続された第１および第２の中継器（第３および第４の変換装置（ＭＣ））８０，９０を含む中継装置７０とを有するブリッジ方式のＬＡＮ間接続システムである。
【００２３】
特に、本実施形態では、局側の光変換ブリッジ５０からユーザ側の光変換リピータ６０または中継装置７０の第１もしくは第２の中継器８０，９０のうち所望の装置へのループバック試験をする際に、イーサネットフレームの最小パケット長よりも短い制御パケットを用いて、さらにイーサネットフレームと同様のパケット長の試験パケットを送って遠隔ループバック試験をし、その際に、制御パケットが通過する中継器８０，９０において制御パケットに自装置を通過したことを表わす識別符号を付与して転送する点と、中継装置の第１または第２の中継器８０，９０からユーザ側の光変換リピータ６０を同様にループバック試験する本願特有のループバック試験方式を適用した点が主な特徴点である。
【００２４】
各部の詳細を説明すると、ユーザＬＡＮ１０は、本実施形態では複数のパーソナルコンピュータなどのデータ端末が接続された１０Ｂａｓｅ−Ｔあるいは１００Ｂａｓｅ−ＴＸのイーサネットＬＡＮであり、有利には、通信事業者との帯域契約により１０Ｍｂｐｓから１００Ｍｂｐｓまでの任意の伝送帯域が選択されて本実施形態のＬＡＮ間接続システムにより広域ＬＡＮ２０に接続される。このユーザＬＡＮ１０は、ハブあるいは図１に示すようにルータ（宅内Ｒ）１００を介して光変換リピータ６０に接続されている。一方、広域ＬＡＮ２０は、たとえば数Ｇｂｐｓの伝送帯域を有するイーサネットベースの高速広帯域のＬＡＮであり、たとえば地域毎に複数のユーザＬＡＮ１０を収容してさらに１００Ｇｂｐｓクラスの基幹網を介して各地域に接続する広域網を形成している。この広域ＬＡＮ２０は、たとえば図１に示すように、ルータ（局内Ｒ）２００を介して光変換ブリッジ５０に接続されている。
【００２５】
ルータ１００，２００は、ネットワーク層レベルのスイッチであり、たとえば本実施形態において伝送するイーサネットフレーム中のIP(Internet protocol) アドレスに従って経路を振り分けるＬＡＮ間接続装置である。イーサネットフレームは、たとえば図８に示すように、同期信号を表わすプリアンブルＰＡと、８ビットのフレーム開始デリミタＳＦＤと、隣接する次の宛先を表わす宛先ＭＡＣ(mediaaccess control)アドレスＤＡと、送信元アドレスを表わす送信元ＭＡＣアドレスＳＡと、データ長またはデータタイプを表わすレングスタイプＬＴと、ＩＰヘッダを含む４６〜１５００オクテットの可変長の送信データＤＴと、宛先ＭＡＣアドレスＤＡからデータＤＴまでの長さが６４オクテット未満の際に付加されてそのデータ長を６４オクテットの長さに調整するパッドＰＡＤと、ＣＲＣ(cyclicredundancy check) 符号などのフレームのエラー検出のためのフレームチェックシーケンスＦＣＳとを含む。本実施形態のＬＡＮ間接続システムは、宛先ＭＡＣアドレスＤＡと、送信元ＭＡＣアドレスＳＡと、レングスタイプＬＴとからなるイーサネットヘッダに基づいてそれぞれのイーサネットフレームを転送するブリッジ方式のＬＡＮ間接続システムである。
【００２６】
詳細には、本実施形態による光変換ブリッジ５０は、通信事業者側に設置されて広域ＬＡＮ２０のルータ２００からのイーサネットフレームおよび光ファイバ伝送路４０を介して転送されたユーザＬＡＮ１０からのイーサネットフレームをそのＭＡＣアドレスに従って相互に転送するＭＡＣブリッジであり、本実施形態では、ルータ２００からのより対線などの電気伝送路と光ファイバ伝送路４０との間のイーサネットフレームの電気−光変換をして媒体アクセス制御する第１の光変換装置である。より具体的には、たとえば図１に示すように、本実施形態の光変換ブリッジ５０は、電気物理層終端部（ＰＨＹ−Ｅ）５０２と、ＭＡＣスイッチ５０４と、試験パケット挿入検出部５０６と、制御パケット挿入検出部５０８と、光物理層終端部（ＰＨＹ−Ｏ）５１０と、制御部５１２と、ＬＥＤ駆動回路５１４と、ループ試験スイッチ５１６とを含む。電気物理層終端部５０２は、ルータ２００との間において送受信するイーサネットフレームを終端するレイヤ１の終端回路であり、より正確には１０／１００Ｂａｓｅ−Ｔのコネクタと、このコネクタとＰＨＹチップとの間の整合をとるトランスと、フレームの波形整形などの処理をするＰＨＹチップとを含む。特に、本実施形態では、ループバック試験の際に、制御部５１２の制御の下に試験パケットが外部に送出されないようにＰＨＹチップにて折り返し経路を形成するループバックモードを有する。ＰＨＹチップは、試験パケット挿入検出部５０６を介して往路線および復路線の２線によりＭＡＣスイッチ５０４に接続されている。
【００２７】
ＭＡＣスイッチ５０４は、イーサネットフレームのＭＡＣアドレスに従ってフレームを転送する転送処理部であり、本実施形態では、ループバック試験の際に光変換リピータ６０または中継装置７０の第１もしくは第２の中継器８０，９０から返送される通常転送するイーサネットフレームの最小パケット長より短い本実施形態特有の制御パケットを破棄する機能を含む。より有利には、広域ＬＡＮ２０側に流出するデータの帯域制限をする帯域制御機能を含むとよい。ＭＡＣスイッチ５０４は、制御パケット挿入検出部５０８を介してそれぞれ往路線および復路線により光物理層終端部５１０に接続されている。試験パケット挿入検出部５０６は、遠隔ループおよび自己ループのループバック試験の際に制御部５１２において生成した試験パケットを往路線に挿入し、かつループバックされた試験パケットを復路線から制御部５１２に取り込む本実施形態特有の部位であり、本実施形態では、電気物理層終端部５０２からＭＡＣスイッチ５０４への往路線に設けられた切替スイッチ（ＳＷ−Ｔ）５２２と、ＭＡＣスイッチ５０４から電気物理層終端部５０２への復路線に共通接続された検出線５２４とを含む。
【００２８】
制御パケット挿入検出部５０８は、遠隔ループバック試験の際に制御部５１２において生成された制御パケットを往路線に挿入し、かつ光変換リピータ６０または中継装置７０の第１もしくは第２の中継器８０，９０からの応答パケットを復路線から検出する本実施形態特有の部位であり、本実施形態では、ＭＡＣスイッチ５０４から光物理層終端部５１０への往路線に設けられた切替スイッチ（ＳＷ−Ｃ）５２６と、光物理層終端部５１０からＭＡＣスイッチ５０４への復路線に共通接続された検出線５２８とを含む。光物理層終端部（ＰＨＹ−Ｏ）５１０は、光ファイバ伝送路４０との間において送受信するイーサネットフレームを終端するレイヤ１の終端回路であり、より正確には、電気−光変換回路を含む光ファイバ伝送路４０とのラインインタフェースと、電気信号に変換されたフレームの波形整形などの処理をするＰＨＹチップとを含む。特に、本実施形態のＰＨＹチップは、ループバック試験のうち自己ループ試験の際にループバックモードに設定されて試験パケットの折り返し経路を形成する。
【００２９】
一方、制御部５１２は、主にループバック試験の際の各部の制御を司どる試験制御部であり、本実施形態では、ループ試験スイッチ５１６の押下または図示しないリモート制御装置からの制御によりループバック試験を実行する。その結果は、ＬＥＤ(light emitting diode)駆動回路５１４による所定のＬＥＤの点灯またはリモート制御装置への通知により報知される。図３には、制御部５１２の機能ブロックが示されている。この図において、スイッチ検出部５３０は、自己ループまたは遠隔ループ試験の際のループ試験スイッチ５１６のスイッチのオン／オフを検出する部位であり、その結果をＰＨＹ設定部５３２、ＭＡＣスイッチ設定部５３４、パケット生成部５３６、タイマ設定部５３８およびＬＥＤ制御部５４０にそれぞれ供給する。ＰＨＹ設定部５３２は、遠隔ループ試験および自己ループ試験の際に、パケットが広域ＬＡＮ２０側に流れないように電気物理層終端部５０２を全２重のアイソレートモードに設定して、自己ループ試験の際に光物理層終端部５１０をループバックモードに設定する制御部である。スイッチオフが検出された際またはタイマ設定部５３８からのタイムアウト信号を受けた場合には、それぞれのモードを通常モードに戻す。ＭＡＣスイッチ設定部５３４は、自己ループおよび遠隔ループのいずれの場合もスイッチオンが検出された際に、ＭＡＣスイッチ５０４を全２重モードに設定する制御部である。
【００３０】
パケット生成部５３６は、遠隔ループ試験の場合に図７に示す起動パケットおよび終了パケットを含む制御パケットならびに図６に示す試験パケットを生成して、自己ループ試験の場合に試験パケットのみを生成するパケット生成回路であり、タイマ設定部５３８からのタイミング信号またはパケット検出部５４２からの指示により所定の順序にてそれぞれのパケットを生成する。試験パケットは、たとえば図６に示すように、イーサネットフレームと同様のフォーマットにより形成され、プリアンブルＰＡとフレーム開始デリミタＳＦＤに続いて、その宛先ＭＡＣアドレスＤＡとして同報を表わすブロードキャストアドレスが付与され、送信元ＭＡＣアドレスＳＡとして自装置のアドレスが付与され、レングスタイプＴｙｐｅとして２進数で表わす固定値の「０１００  ００００」（１６進数で「０８．００．」）が付与され、データＤＡとしてたとえば「１１００  １１００」（１６進数で「ＣＣ．ＣＣ．」）の繰り返しによるパターンが付与されて、合計６４ｂｙｔｅ以上のパケット長に形成されている。本実施形態の制御パケットは、イーサネットフレームの最小パケット長６４ｂｙｔｅよりも短いパケット長に形成され、たとえば図７に示すように、プリアンブルＰＡとフレーム開始デリミタＳＦＤに続いて、制御の種別を表わす所定のパケットパターンＰＰと、装置識別符号ＩＤが付与される。パケットパターンＰＰとしては、起動パケットが２進数により表わされるたとえば「０００１  ０００１」の繰り返しによる４ｂｙｔｅのパターンが付与され、終了パケットが「００１１  ００１１」の繰り返しによる４ｂｙｔｅのパターンが付与される。装置識別符号ＩＤは、１ｂｙｔｅにより表わされ、本実施形態では、たとえば中継器８０，９０によりその値が減算されて目的の装置に達した際に「００００」となる値が付与される。たとえば光変換リピータ６０への起動パケットおよび終了パケットには、「００００  ００１０」が付与され、第２の中継器９０への起動パケットには「０００１」が付与され、第１の中継器８０には「００００」の値が付与されて、それぞれ所定の間隔によりたとえば最大１０回送出される。
【００３１】
図３に戻って、タイマ設定部５３８は、パケット生成部５３６に起動パケットおよび試験パケットの送出タイミングを表わすタイミング信号を供給し、さらにパケット検出部５４２での起動ＡＣＫパケットおよび試験パケットのタイムアウト時間を設定するタイミング回路である。ＬＥＤ制御部５４０は、ループバック試験の際の結果に基づいてＬＥＤ駆動回路５１４を制御する制御回路であり、本実施形態ではスイッチオンが検出された際に試験中を表わす黄色のＬＥＤを点灯し、パケット比較部５４４において試験パケットが正常と判定された際に緑のＬＥＤを点灯する制御をそれぞれ実行する。試験終了の際は、両ＬＥＤを共に消灯する。
【００３２】
一方、パケット検出部５４２は、遠隔ループ試験の際に、起動パケットを送った相手装置から返送された起動ＡＣＫパケットを検出し、さらにループバックされた試験パケットを検出する検出回路であり、起動ＡＣＫパケットの検出結果をパケット生成部５３６およびタイマ設定部５３８に通知し、検出した試験パケットをパケット比較部５４４に転送する。同様に、自己ループ試験の場合は試験パケットをパケット比較部５４４に転送する。パケット比較部５４４は、パケット生成部５３６から送出された試験パケットとループバックされた試験パケットが一致するか否かを比較する比較回路であり、その結果、一致した場合にＬＥＤ制御部５４０およびリモート制御装置に正常を表わす信号を通知する。
【００３３】
図１に戻って、本実施形態による中継装置７０は、ユーザＬＡＮ１０からの光ファイバ伝送路４０と広域ＬＡＮ２０からの光ファイバ伝送路４０とを接続してこれらに相互に転送されるイーサネットフレームを中継する接続装置であり、本実施形態では、電気伝送路３００により相互に接続された第１の中継器８０と第２の中継器９０とを含む。第１の中継器８０は、光変換ブリッジ５０からの光ファイバ伝送路４０と第２の中継器９０からの電気伝送路３００との間を伝送するイーサネットフレームを光−電気変換して転送する変換装置であり、本実施形態では、同図に示すように、光物理層終端部（ＰＨＹ−Ｏ）８０２と、ＭＡＣスイッチ８０４と、光側パケット挿入検出部８０６と、電気側パケット挿入検出部８０８と、電気物理層終端部（ＰＨＹ−Ｅ）８１０と、制御部８１２と、ＬＥＤ駆動回路８１４と、ループ試験スイッチ８１６とを含む。
【００３４】
光物理層終端部８０２は、光変換ブリッジ５０からの光ファイバ伝送路４０との間において送受信するイーサネットフレームを終端するレイヤ１の終端回路であり、詳細には、電気−光変換回路を含む光ファイバ伝送路４０とのラインインタフェースと、電気信号に変換されたフレームの波形整形などの処理をするＰＨＹチップとを含む。特に、本実施形態のＰＨＹチップは、ループバック試験のうち自装置から光変換リピータ６０を試験する際、または自己ループ試験の際にループバックモードに設定されて試験パケットの折り返し経路を形成する。光変換ブリッジ５０からのループバック試験の際には、全２重モードに設定されてスルー経路を形成する。このＰＨＹチップは、光側パケット挿入検出部８０６を介して往路線および復路線によりＭＡＣスイッチ８０４に接続されている。ＭＡＣスイッチ８０４は、イーサネットフレームのＭＡＣアドレスに従ってフレームを転送する転送処理部であり、本実施形態では、イーサネットフレームの最小パケット長より短い本実施形態特有の制御パケットを破棄する機能を含む。
【００３５】
光側パケット挿入検出部８０６は、光変換ブリッジ５０からのループ試験の際の起動パケットを光物理層終端部８０２からＭＡＣスイッチ８０４への往路線から検出して制御部８１２に供給し、その起動パケットが自装置宛の場合に制御部８１２からの応答パケットを復路線に挿入する本実施形態特有の部位であり、さらに本実施形態では、自装置から光変換リピータ６０をループバック試験する際に制御部８１２からの試験パケットを復路線に挿入し、光物理層終端部８０２により折り返した光変換リピータ６０からの試験パケットを往路線から検出する第１のパケット挿入検出部である。本実施形態の光側パケット挿入検出部８０６は光物理層終端部８０２からＭＡＣスイッチ８０４への往路線に共通接続された検出線８２４と、復路線に設置された切替スイッチ（ＳＷ−Ｏ）８２２とを含む。電気側パケット挿入検出部８０８は、制御部８１２を介して転送または生成した制御パケットを往路線に挿入し、光変換リピータ６０を含む下位装置からの応答パケットを復路線から検出する第２のパケット挿入検出部であり、本実施形態では、ＭＡＣスイッチ８０４から電気物理層終端部８１０への往路線に設けられた切替スイッチ（ＳＷ−Ｅ）８２６と、電気物理層終端部８１０からＭＡＣスイッチ８０４への復路線に共通接続された検出線８２８とを含む。
【００３６】
電気物理層終端部８１０は、電気伝送路３００との間において送受信するイーサネットフレームを終端するレイヤ１の終端回路であり、本実施形態では、電気伝送路３００に接続された電気インタフェースと、フレームの波形整形などの処理をするＰＨＹチップと、電気インタフェースとＰＨＹチップとの間の整合をとるトランスとを含む。特に、ＰＨＹチップは、光変換ブリッジ５０からのループバック試験の際または自己ループ試験の際に、制御部８１２の制御の下に試験パケットが外部に送出されないようにＰＨＹチップにて折り返し経路を形成するループバックモードに設定される。自装置から光変換リピータ６０をループバック試験する際には、全２重モードに設定されてスルー経路を形成する。
【００３７】
他方、制御部８１２は、本実施形態では光変換ブリッジ５０からの他の下位装置へのループバック試験の際の制御パケットの転送処理および自装置からの光変換リピータ６０へのループバック試験の制御を司どる部位であり、特に本実施形態では、制御パケットの転送処理の際にそのパケットに自装置を通過したことを表わす識別符号を付与して転送する機能を含む。自装置から光変換リピータ６０へのループバック試験の際は、ループ試験スイッチ８１６の押下または図示しないリモート制御装置からの制御によりループバック試験を実行する。その結果はＬＥＤ(light emitting diode)駆動回路８１４による所定のＬＥＤの点灯またはリモート制御装置への通知により報知される。図５には、制御部８１２の機能ブロックが示されている。この図において、スイッチ検出部８３０は、自己ループまたは遠隔ループ試験の際のループ試験スイッチ８１６のオン／オフを検出する部位であり、その結果をＰＨＹ設定部８３２、ＭＡＣスイッチ設定部８３４、パケット生成部８３６、ＬＥＤ制御部８４０および識別符号付与部８４２にそれぞれ供給する。ＰＨＹ設定部８３２は、光変換ブリッジ５０からの遠隔ループ試験の際に電気物理層終端部８１０をループバックモードに設定し、自己ループ試験の場合に電気物理層終端部８１０および光物理層終端部８０２をそれぞれループバックモードに設定する制御部であり、本実施形態では、光変換リピータ６０への遠隔ループ試験の際に、パケットが広域ＬＡＮ２０側の光ファイバ伝送路４０に流れないように光物理層終端部８０２を全２重のアイソレートモードに設定する制御機能を含む。光変換リピータ６０へのループバック試験または自己ループ試験の場合に、スイッチオフが検出された際またはタイマ設定部８３８からのタイムアウト信号によりそれぞれ通常モードに戻し、光変換ブリッジ５０からの遠隔ループ試験の場合にパケット検出部８４４にて終了パケットを検出した際の信号によりそれぞれ通常モードに戻す。ＭＡＣスイッチ設定部８３４は、自己ループおよび光変換リピータ６０への遠隔ループ試験のいずれの場合もスイッチオンが検出された際に、ＭＡＣスイッチ８０４を全２重モードに設定する。
【００３８】
パケット生成部８３６は、自装置から光変換リピータ６０への遠隔ループ試験の場合にその起動パケットおよび終了パケットを含む制御パケットならびに試験パケットを生成し、自己ループの場合に試験パケットのみを生成するパケット生成回路であり、さらに本実施形態では、他の装置への制御パケットの転送処理の際に識別符号付与部８４２を介して受けた制御パケットを転送処理する転送処理機能を含む。自装置からのループバック試験の際は、タイマ設定部８３８からのタイミング信号またはパケット検出部８４４からの指示により所定の順序にてそれぞれのパケットを生成する。試験パケットは、光変換ブリッジ５０の場合と同様に、図６に示すイーサネットフレームと同様のフォーマットにより形成されたパケットである。制御パケットは、自装置からのループバック試験の際に光変換ブリッジ５０の場合と同様に、図７に示すように、イーサネットフレームの最小パケット長６４ｂｙｔｅよりも短いパケット長に形成された起動パケットおよび終了パケットを含む。光変換ブリッジ５０への応答パケットは、同様に短パケット（イーサネットフレームの最小パケット長６４バイトよりも短いパケット長）に形成されて、パケットパターンとして２進数により表わす「００１１  ００１１」の繰り返しによる４ｂｙｔｅのパターンが付与され、装置識別符号として「００００  ００００」の値が付与される。
【００３９】
図５に戻って、タイマ設定部８３８は、光変換ブリッジ５０と同様に、パケット生成部８３６に起動パケットおよび試験パケットの送出タイミングを表わすタイミング信号を供給し、さらにパケット検出部８４４での起動ＡＣＫパケットおよび試験パケットのタイムアウト時間を設定するタイマ回路である。ＬＥＤ制御部８４０は、ループバック試験の際の結果に基づいてＬＥＤ駆動回路８１４を制御する制御回路であり、本実施形態ではスイッチオンが検出された際に試験中を表わす黄色のＬＥＤを点灯し、パケット比較部８４６において試験パケットが正常と判定された際に緑のＬＥＤを点灯する制御を実行する。試験終了の際は、両ＬＥＤを共に消灯する。
【００４０】
一方、パケット検出部８４４は、自装置からの遠隔ループ試験の際に、光変換リピータ６０からの起動ＡＣＫパケットを検出し、かつループバックされた試験パケットを検出する検出回路であり、特に本実施形態では、光変換ブリッジ５０から他の装置への制御パケットを検出して、これを識別符号付与部８４２に転送する処理を含む。自装置からの遠隔ループ試験の際に起動ＡＣＫパケットを検出した場合、その検出結果を識別符号付与部８４２を介してパケット生成部８３６に供給し、さらにタイマ設定部８３８に通知する。検出した試験パケットは、パケット比較部８４６に転送する。同様に、自己ループ試験の場合は試験パケットをパケット比較部８４６に転送する。パケット比較部８４６は、パケット生成部８３６から送出された試験パケットとループバックされた試験パケットが一致するか否かを比較する比較回路であり、その結果、一致した場合にＬＥＤ制御部８４０およびリモート制御装置に正常を表わす信号を通知する。
【００４１】
他方、識別符号付与部８４２は、自装置から光変換リピータ６０へのループバック試験の際に起動パケットおよび終了パケットにその宛先を表わす識別符号「００００  ０００１」を付与し、また自装置を通過する制御パケットにその通過を表わす識別符号を付与する部位であり、本実施形態では、識別符号判別回路８５０と、識別符号生成回路８５２とを含む。識別符号判別回路８５０は、パケット検出部８４４により検出した制御パケットが自装置宛のものであるか否かを判別する回路であり、本実施形態では、制御パケットの識別符号ＩＤの値が「００００  ００００」であるか否かを判定してその結果をパケット生成部８３６、ＰＨＹ設定部８３２、ＭＡＣスイッチ設定部８３４および識別符号生成回路８５２にそれぞれ通知する。より具体的には、起動パケットの識別符号の値が「００００  ００００」である場合は、光変換ブリッジ５０からのループバック試験を表わす信号をそれぞれに通知し、識別符号の値が「００００  ００００」でない場合は識別符号生成回路８５２およびパケット生成部８３６にパケット転送を表わす信号を通知する。識別符号生成回路８５２は、識別符号判別回路８５０により判別した結果がパケット転送を表わす場合に、その制御パケットに付与する自装置を通過したことを表わす識別符号を生成する符号生成回路であり、本実施形態では、光変換ブリッジ５０から下位装置への起動パケットおよび終了パケットにあらかじめ付与された識別符号ＩＤの値から２進数により表わす「００００  ０００１」すなわち”１”を減算し、下位装置から光変換ブリッジ５０への起動ＡＣＫパケットの識別符号ＩＤの値に”１”を加算する演算回路を含む。演算した結果の識別符号はパケット生成部８３６に供給される。
【００４２】
再び図１に戻って、本実施形態による第２の中継器９０は、第１の中継器８０からの電気伝送路３００と光変換リピータ６０からの光ファイバ伝送路４０との間を伝送するフレームを光−電気変換して転送する接続装置であり、本実施形態では第１の中継器８０とほぼ対称的に形成されて、同図に示すように、電気物理層終端部９０２と、ＭＡＣスイッチ９０４と、電気側パケット挿入検出部９０６と、光側パケット挿入検出部９０８と、光物理層終端部９１０と、制御部９１２と、ＬＥＤ駆動回路９１４と、ループ試験スイッチ９１６とを含む。電気物理層終端部９０２は、電気伝送路３００との間において送受信するイーサネットフレームを終端するレイヤ１の終端回路であり、第１の中継器８０の電気物理層終端部８１０と同様に、電気伝送路３００に接続する電気インタフェースと、フレームの波形整形などの処理をするＰＨＹチップと、コネクタとＰＨＹチップとの間の整合をとるトランスとを含む。特に、本実施形態のＰＨＹチップは、ループバック試験のうち自装置から光変換リピータ６０を試験する際、または自己ループ試験の際にループバックモードに設定されて折り返し経路を形成する。光変換ブリッジ５０からのループバック試験の際には、全２重モードに設定されてスルー経路を形成する。このＰＨＹチップは、電気側パケット挿入検出部９０６を介して往路線および復路線によりＭＡＣスイッチ９０４に接続されている。ＭＡＣスイッチ９０４は、第１の中継器８０と同様に、イーサネットフレームのＭＡＣアドレスに従ってフレームを転送する転送処理部であり、本実施形態では、イーサネットフレームの最小パケット長より短い本実施形態特有の制御パケットを破棄する機能を含む。
【００４３】
電気側パケット挿入検出部９０６は、光変換ブリッジ５０からのループ試験の際の起動パケットを電気物理層終端部９０２からＭＡＣスイッチ９０４への往路線から検出して制御部９１２に供給し、その起動パケットが自装置宛の場合に制御部９１２からの応答パケットを復路線に挿入する本実施形態特有の部位であり、さらに本実施形態では、自装置から光変換リピータ６０をループバック試験する際に制御部９１２からの試験パケットを復路線に挿入し、その際光物理層終端部９１０により折り返した光変換リピータ６０からの試験パケットを往路線から検出する第１のパケット挿入検出部である。本実施形態の電気側パケット挿入検出部９０６は、電気物理層終端部９０２からＭＡＣスイッチ９０４への往路線に共通接続された検出線９２４と、復路線に設置された切替スイッチ（ＳＷ−Ｅ）９２２と、を含む。光側パケット挿入検出部９０８は、制御部９１２からの制御パケットを往路線に挿入し、光変換リピータ６０からの応答パケットを復路線から検出する第２のパケット挿入検出部であり、本実施形態では、ＭＡＣスイッチ９０４から光物理層終端部９１０への往路線に設けられた切替スイッチ（ＳＷ−Ｏ）９２６と、光物理層終端部９１０からＭＡＣスイッチ９０４への復路線に共通接続された検出線９２８とを含む。
【００４４】
光物理層終端部９１０は、光変換リピータ６０からの光ファイバ伝送路４０との間において送受信するイーサネットフレームを終端するレイヤ１の終端回路であり、本実施形態では、光ファイバ伝送路４０に接続されたラインインタフェースと、フレームの波形整形などの処理をするＰＨＹチップと、ラインインタフェースとＰＨＹチップとの間の整合をとるトランスとを含む。特に、ＰＨＹチップは、光変換ブリッジ５０からのループバック試験の際または自己ループ試験の際に、制御部９１２の制御の下に試験パケットが外部に送出されないようにＰＨＹチップにて折り返し経路を形成するループバックモードに設定される。自装置から光変換リピータ６０をループバック試験する際には、全２重モードに設定される。
【００４５】
一方、制御部９１２は、第１の中継器８０の制御部８１２と同様に自装置を通過する制御パケットの転送処理および光変換リピータ６０へのループバック試験の制御を司どる部位であり、特に、電気側パケット挿入検出部９０６または光側パケット挿入検出部９０８からの制御パケットをその識別符号に基づいて転送または自装置でのループバック試験を制御する。本実施形態による制御部９１２の機能構成は、図５に示す第１の中継器８０の制御部８１２とほぼ同様に形成されており、同図に括弧書きにより示すように、ループ試験スイッチのオン／オフを検出するスイッチ検出部９３０と、電気物理層終端部９０２および光物理層終端部９１０のＰＨＹチップでの通信モードを設定するＰＨＹ設定部９３２と、ＭＡＣスイッチ９０４の通信モードを設定するＭＡＣスイッチ設定部９３４と、ループバック試験の際の制御パケットおよび試験パケットを生成するパケット生成部９３６と、そのタイミングを計時するタイマ設定部９３８と、ループバック試験の際の制御パケットおよび試験パケットを検出するパケット検出部９４４と、ループバック試験の際の制御パケットに本実施形態特有の識別符号を付与する識別符号付与部９４２と、自装置から光変換リピータ６０へのループバック試験の際にループバックされた試験パケットの正常性を判定するパケット比較部９４６と、ループバック試験の際の状態を表わすＬＥＤの点灯を制御するＬＥＤ制御部９４０とを含む。特に、本実施形態の識別符号付与部９４２は、識別符号判別回路９５０と、識別符号生成回路９５２とを含む。識別符号判別回路９５０は、パケット検出部９４４により検出した制御パケットの識別符号が自装置宛のものであるか否かを判別する部位であり、その結果をパケット生成部９３６、ＰＨＹ設定部９３２、ＭＡＣスイッチ設定部９３４および識別符号生成回路９５２にそれぞれ供給する。識別符号生成回路９５２は、自装置から光変換リピータ６０をループバック試験する際に、その制御パケットに「００００  ００００」の識別符号ＩＤを付与し、また、自装置を通過する起動パケットおよび終了パケットにはあらかじめ付与された識別符号ＩＤに”１”を加算し、その応答パケットには「１」を減算して自装置を通過したことを表わす識別符号を演算する演算回路を含む。
【００４６】
再び図１に戻って、本実施形態による光変換リピータ６０は、ユーザ宅内に設置されてユーザＬＡＮ１０のルータ１００からのイーサネットフレームおよび光ファイバ伝送路４０を介して転送された広域ＬＡＮ２０からのイーサネットフレームをそのＭＡＣアドレスに従って相互に転送するＭＡＣブリッジであり、本実施形態では、ルータ１００からのより対線などの電気伝送路と光ファイバ伝送路４０との間のイーサネットフレームの電気／光変換をして媒体アクセス制御する光コンバータである。より具体的には、本実施形態の光変換リピータ６０は、同図に示すように、光物理層終端部（ＰＨＹ−Ｏ）６０２と、ＭＡＣスイッチ６０４と、制御パケット挿入検出部６０６と、電気物理層終端部（ＰＨＹ−Ｈ）６１０と、制御部６１２と、ＬＥＤ駆動回路６１４とを含む。光物理層終端部（ＰＨＹ−Ｏ）６０２は、光ファイバ伝送路４０との間において送受信するイーサネットフレームを終端するレイヤ１の終端回路であり、より正確には、電気−光変換回路を含む光ファイバ伝送路４０とのラインインタフェースと、電気信号に変換されたフレームの波形整形などの処理をするＰＨＹチップとを含む。特に、本実施形態では、ＰＨＹチップは、ループバック試験のうち自己ループ試験の際に、ループバックモードに設定される。このＰＨＹチップは、制御パケット挿入検出部６０６を介して往路線および復路線によりＭＡＣスイッチ６０４に接続されている。
【００４７】
制御パケット挿入検出部６０６は、遠隔ループバック試験の際に光変換ブリッジ５０または中継装置７０の第１もしくは第２の中継器８０，９０からの起動パケットを往路線から検出し、さらに制御部６１２において生成された起動ＡＣＫパケットを復路線に挿入する本実施形態特有の部位であり、光物理層終端部６０２からＭＡＣスイッチ６０４への往路線に共通接続された検出線６２４と、ＭＡＣスイッチ６０４から光物理層終端部６０２への復路線に設けられた切替スイッチ（ＳＷ−Ｃ）６２２とを含む。ＭＡＣスイッチ６０４は、イーサネットフレームのＭＡＣアドレスに従ってフレームを転送する転送処理部であり、本実施形態では、イーサネットフレームの最小パケット長より短い本実施形態特有の制御パケットを破棄する機能を含む。
【００４８】
電気物理層終端部６１０は、ルータ１００との間において送受信するイーサネットフレームを終端するレイヤ１の終端回路であり、より正確には、１０／１００Ｂａｓｅ−Ｔのコネクタと、コネクタとＰＨＹチップとの間の整合をとるトランスと、フレームの波形整形などの処理をするＰＨＹチップとを含む。特に、本実施形態では、ループバック試験の際に、制御部６１２の制御の下に試験パケットが外部に送出されないようにＰＨＹチップにて折り返し経路を形成するループバックモードを含む。
【００４９】
制御部６１２は、光変換ブリッジ５０または中継装置７０の第１もしくは第２の中継器８０，９０からの遠隔ループ試験および自己ループ試験の際のループバック制御を実行するループ制御部であり、本実施形態では、起動パケットの受信により遠隔ループ試験のループバック制御を実行する。その際、ＬＥＤ駆動回路６１４を介してＬＥＤを点灯または点滅してループバック試験中であることを外部に報知する。図４には、制御部６１２の機能ブロックが示されている。この図において、スイッチ検出部６３０は、自己ループ試験の際のスイッチ（図示略）のオン／オフを検出する部位であり、その結果をＰＨＹ設定部６３２、ＭＡＣスイッチ設定部６３４、パケット生成部６３６、タイマ設定部６３８およびＬＥＤ制御部６４０にそれぞれ供給する。ＰＨＹ設定部６３２は、遠隔ループ試験の場合に電気物理層終端部６１０をループバックモードに設定し、自己ループ試験の場合に電気物理層終端部６１０および光物理層終端部６０２をそれぞれループバックモードに設定する制御部である。自己ループ試験の場合にスイッチオフが検出された際またはタイマ設定部６３８からのタイムアウト信号によりそれぞれ通常モードに戻し、遠隔ループ試験の場合にパケット検出部６４２からの終了パケットを検出した際の信号によりそれぞれ通常モードに戻す。ＭＡＣスイッチ設定部６３４は、自己ループおよび遠隔ループのいずれの場合もスイッチオンが検出された際またはパケット検出部６４２において起動パケットを検出した際にＭＡＣスイッチ６０４を全２重モードに設定する制御部である。
【００５０】
パケット生成部６３６は、パケット検出部６４２において起動パケットを検出した場合にその起動ＡＣＫパケットを生成し、自己ループ試験の場合に試験パケットを生成するパケット生成回路であり、タイマ設定部６３８からのタイミング信号またはパケット検出部６４２からの指示によりそれぞれのパケットを生成する。起動ＡＣＫパケットは、イーサネットフレームよりも短いパケット長に形成されて、図７に示すように、プリアンブルＰＡとフレーム開始デリミタＳＦＤに続いて、パケットパターンＰＰとして２進数により表わす「００１０  ００１０」の繰り返しによる４ｂｙｔeのパターンが付与され、識別符号として「００００  ００００」が付与される。
【００５１】
図４に戻って、タイマ設定部６３８は、パケット生成部６３６に起動ＡＣＫパケットおよび試験パケットの送出タイミングを供給するタイミング生成回路であり、特に、本実施形態では遠隔ループ試験の際にパケット検出部６４２においてたとえば２回目の起動パケットを検出した場合に起動ＡＣＫパケットの生成を指示するタイミング信号を供給する。１回目の起動パケットの検出から２回目の起動パケットの検出までに所定の時間経過した場合はＰＨＹ設定部６３２およびＭＡＣスイッチ設定部６３４にタイムアウト信号を供給するタイマ回路である。ＬＥＤ制御部６４０は、ループバック試験の際のＬＥＤの点滅を制御する制御回路であり、本実施形態ではスイッチオンが検出された際または起動パケットを受けた際に試験中を表わす黄色のＬＥＤを点灯し、自己ループ試験の際にパケット比較部６４４において試験パケットが正常と判定された際に緑のＬＥＤを点灯する。試験終了の際は、両ＬＥＤを共に消灯する。
【００５２】
一方、パケット検出部６４２は、遠隔ループ試験の際に、光変換ブリッジ５０または中継装置７０の第１もしくは第２の中継器８０，９０からの起動パケットおよび終了パケットを検出し、または自己ループ試験の際に試験パケットを検出する検出回路であり、特に、本実施形態では、たとえば２回目の起動パケットを検出した際にその結果をＰＨＹ設定部６３２、ＭＡＣスイッチ設定部５３４、パケット生成部６３６およびタイマ設定部６３８に供給する。同様に、自己ループ試験の場合はループバックした試験パケットを検出して、パケット比較部６４４に転送する。パケット比較部６４４は、パケット生成部６３６から送出された試験パケットとループバックされた試験パケットが一致するか否かを比較する比較回路であり、その結果、一致した場合にＬＥＤ制御部６４０に正常を表わす信号を供給する。
【００５３】
次に、本実施形態によるループバック試験方法を上記ＬＡＮ間接続システムの各装置の動作とともに説明する。まず、図９を参照して局側の光変換ブリッジ５０（メディアコンバータＢ）からユーザＬＡＮ１０の光変換リピータ６０（メディアコンバータＡ）への遠隔ループ試験を実行する場合について説明すると、試験者は、局側において光変換ブリッジ５０への遠隔ループのループ試験スイッチ５１６またはリモート制御装置を介してそのスイッチをオンとする。これにより、光変換ブリッジ５０では、制御部５１２のスイッチ検出部５３０においてそのスイッチオンを検出すると、その結果をＰＨＹ設定部５３２、ＭＡＣスイッチ設定部５３４、パケット生成部５３６、タイマ設定部５３８およびＬＥＤ制御部５４０にそれぞれ通知する。その結果、ＰＨＹ設定部５３２により電気物理層終端部５０２が全２重のアイソレートモードに設定され、さらにＭＡＣスイッチ設定部５３４によりＭＡＣスイッチ５０４が全２重モードに設定される。一方、ＬＥＤ制御部５４０では、ＬＥＤ駆動回路５１４に黄色のＬＥＤを点灯する制御信号を供給してその点灯が実行されると、ループバック試験が行なわれていることが外部に報知される。この状態において、タイマ設定部５３８によりパケット間ギャップのタイミングを計り、所定の間隔にてタイミング信号をパケット生成部５３６に供給すると、そのタイミング信号に応動してパケット生成部５３６から光変換リピータ６０へのループバック指示を表わす起動パケットが生成されて出力される。この際、起動パケットに付加される識別符号ＩＤは、光変換リピータ６０が光変換ブリッジ５０から下位３番目の装置であるので、（３−１）＝２、つまり、２進数１ｂｙｔｅにより表わされる「００００  ００１０」の値が付与されて出力される。この起動パケットは、所定の間隔によりたとえば１０回出力され、パケット生成部５３６から制御パケット挿入検出部５０８の切替スイッチ５２６を介して光物理層終端部５１０への往路線に供給される。次に、往路線からの起動パケットを受けた光物理層終端部５１０では、起動パケットを光信号に変換して光ファイバ伝送路４０に送出する。
【００５４】
次に、光変換ブリッジ５０から光ファイバ伝送路４０を介して起動パケットを受けた中継装置７０の第１の中継器８０（メディアコンバータＤ）では、その光物理層終端部８０２により起動パケットを電気信号に変換して入力すると、その往路線から光側パケット挿入検出部８０６の検出線８２４を介して入力した起動パケットを取り込んで制御部８１２に供給する。この際、往路線からＭＡＣスイッチ８０４に入力した起動パケットは、そのパケット長が通常のイーサネットフレームの最小パケット長より短いので、破棄されてＭＡＣスイッチ８０４の下流には出力されない。次に、起動パケットを受けた制御部８１２では、そのパケット検出部８４４により起動パケットを検出すると、これを識別符号付与部８４２の識別符号判別回路８５０に供給する。パケット検出部８４４からの起動パケットを受けた識別符号判別回路８５０では、その識別符号ＩＤの値が「００００  ００００」であるか否か、つまり自装置宛であるか否かを判別する。この場合、起動パケットの識別符号の値が「００００  ００１０」であるので、自装置宛でないと判別して、その結果をパケット生成部８３６および識別符号生成回路８５２に転送処理を指示する信号を供給して、その起動パケットを識別符号生成回路８５２に転送する。これにより、識別符号生成回路８５２では、受けた起動パケットの識別符号ＩＤの値から“１”を減算して、その値を「００００  ０００１」とした起動パケットをパケット生成部８３６に供給する。次いで、パケット生成部８３６は、識別符号生成回路８５２からの起動パケットを光側パケット挿入検出部８０８の切替スイッチ８２６に供給する。この結果、識別符号が書き換えられた起動パケットは、切替スイッチ８２６から電気物理層終端部８１０への往路線に挿入されて、さらに電気物理層終端部８１０から電気伝送路３００を介して第２の中継器９０に転送される。
【００５５】
次に、第１の中継器８０から電気伝送路３００を介して起動パケットを受けた第２の中継器９０では、その電気物理層終端部９０２からＭＡＣスイッチ９０４への往路線に起動パケットを送る。その際、第１の中継器８０の場合と同様に、電気側パケット挿入検出部９０６の検出線９２４を介して起動パケットを取り込んで制御部９１２に供給する。また、往路線からＭＡＣスイッチ９０４に入力した起動パケットは、上記と同様に破棄されてＭＡＣスイッチ９０４の下流には出力されない。次に、起動パケットを受けた制御部９１２では、そのパケット検出部９４４により起動パケットを検出すると、上記と同様に、これを識別符号付与部９４２の識別符号判別回路９５０に供給する。パケット検出部９４４からの起動パケットを受けた識別符号判別回路９５０では、第１の中継器８０の場合と同様に、その識別符号ＩＤの値が「００００  ００００」であるか否かを判別する。この場合、起動パケットの識別符号の値が「００００  ０００１」となっているので、自装置宛でないと判別して、その結果をパケット生成部９３６および識別符号生成回路９５２に転送処理を指示する信号を供給して、その起動パケットを識別符号生成回路９５２に転送する。これにより、識別符号生成回路９５２では受けた起動パケットの識別符号ＩＤの値から“１”を減算して、その値を「００００  ００００」とした起動パケットをパケット生成部９３６に供給する。次いで、パケット生成部９３６は、識別符号生成回路９５２からの起動パケットを光側パケット挿入検出部９０８の切替スイッチ９２６に供給する。この結果、識別符号が書き換えられた起動パケットは、切替スイッチ９２６から光物理層終端部９１０への往路線に挿入される。その起動パケットを受けた光物理層終端部９１０では、そのパケットを光信号に変換して光ファイバ伝送路４０を介して光変換リピータ６０に転送する。
【００５６】
次に、光ファイバ伝送路４０を介して起動パケットを受けた光変換リピータ６０では、その光物理層終端部６０２において起動パケットを電気信号に変換して往路線に供給すると、その往路線から制御パケット挿入検出部６０６の検出線６２４を介して起動パケットを取り込んで制御部６１２に供給する。この際、起動パケットは往路線からＭＡＣスイッチ６０４にも供給されるが、上記各部と同様に、ＭＡＣスイッチ６０４では、そのデータ長が通常のフレームより短いので破棄されてその下流側には通過しない。起動パケットを受けた光変換リピータ６０の制御部６１２では、そのパケット検出部６４２において１回目の起動パケットを受けたか否かが判定されて、１回目の起動パケットを検出すると、タイマ設定部６３８のタイムカウントがスタートする。この際、自己ループのループスイッチのスイッチ検出がマスクされる。次いで、パケット間ギャップを考慮した所定の時間Ｔ１つまりたとえば２回目の起動パケットが到達すべき時間が経過したか否かが判定される。この際、時間Ｔ１が経過していなければ、次の起動パケットを受けたか否かが判定されて、次の起動パケットを受信していなければ、上記判定動作が繰り返される。所定の時間Ｔ１が経過すると、タイマがクリアされて初期状態に戻る。一方、たとえば、２回続けて起動パケットが受信されると、パケット検出部６４２からＰＨＹ設定部６３２、ＭＡＣスイッチ設定部６３４、パケット生成部６３６、タイマ設定部６３８およびＬＥＤ制御部６４０にそれぞれループバック試験の指示を表わす信号がそれぞれ通知される。次に、その信号を受けたＰＨＹ設定部６３２では、電気物理層終端部６１０をループバックモードに設定する。
【００５７】
次に、パケット検出部６４２からの通知を受けたＬＥＤ制御部６４０では、黄色のＬＥＤを点灯する制御信号をＬＥＤ駆動回路６１４に供給して、遠隔ループ試験中であることを外部に報知する。この状態において、タイマ設定部６３８では、タイムカウントを開始して、所定のタイミング信号をパケット生成部６３６に供給する。これにより、パケット生成部６３６では、起動パケットに応答する起動ＡＣＫパケットを生成して出力する。この際、起動ＡＣＫパケットには、識別符号として「００００  ００００」が付加される。生成された起動ＡＣＫパケットは、制御パケット挿入検出部６０６の切替スイッチ６２２から光物理層終端部６０２への復路線に挿入されて、光物理層終端部６０２により光信号に変換されて光ファイバ伝送路４０に送出される。
【００５８】
次に、光変換リピータ６０から光ファイバ伝送路４０を介して起動ＡＣＫパケットを受けた中継装置７０の第２の中継器９０では、その光物理層終端部９１０により起動ＡＣＫパケットを電気信号に変換して入力すると、その復路線から光側パケット挿入検出部９０８の検出線９２８を介して入力した起動ＡＣＫパケットを取り込んで制御部９１２に供給する。この際、復路線からＭＡＣスイッチ９０４に入力した起動ＡＣＫパケットは、そのパケット長が通常のイーサネットフレームの最小パケット長より短いので、破棄されてＭＡＣスイッチ９０４の上流には出力されない。次に、起動ＡＣＫパケットを受けた制御部９１２では、そのパケット検出部９４４により起動ＡＣＫパケットを検出すると、これを識別符号付与部９４２の識別符号判別回路９５０に供給する。パケット検出部９４４からの起動ＡＣＫパケットを受けた識別符号判別回路９５０では、その識別符号ＩＤの値が「００００  ００００」であるか否か、つまり前回通過した起動パケットの値と同じ値であるか否かを判別する。この場合、起動ＡＣＫパケットの識別符号の値が「００００  ００００」であるので、その結果をパケット生成部９３６および識別符号生成回路９５２に転送処理を指示する信号を供給して、その起動ＡＣＫパケットを識別符号生成回路９５２に転送する。これにより、識別符号生成回路９５２では、受けた起動ＡＣＫパケットの識別符号ＩＤの値に“１”を加算して、その値を「００００  ０００１」とした起動ＡＣＫパケットをパケット生成部９３６に供給する。次いで、パケット生成部９３６は、識別符号生成回路９５２からの起動ＡＣＫパケットを電気側パケット挿入検出部９０６の切替スイッチ９２２に供給する。この結果、識別符号が書き換えられた起動ＡＣＫパケットは、切替スイッチ９２２により電気物理層終端部９０２への復路線に挿入されて、さらに電気物理層終端部９０２から電気伝送路３００を介して第１の中継器８０に転送される。
【００５９】
次に、第２の中継器９０から電気伝送路３００を介して起動ＡＣＫパケットを受けた第１の中継器８０では、その電気物理層終端部８１０からＭＡＣスイッチ８０４への復路線に起動ＡＣＫパケットを送る。その際、第２の中継器９０の場合と同様に、電気側パケット挿入検出部８０８の検出線８２８を介して起動ＡＣＫパケットを取り込んで制御部８１２に供給する。また、復路線からＭＡＣスイッチ８０４に入力した起動ＡＣＫパケットは、上記と同様に破棄されてＭＡＣスイッチ８０４の上流には出力されない。次に、起動ＡＣＫパケットを受けた制御部８１２では、そのパケット検出部８４４により起動ＡＣＫパケットを検出すると、上記と同様に、これを識別符号付与部８４２の識別符号判別回路８５０に供給する。パケット検出部８４４からの起動ＡＣＫパケットを受けた識別符号判別回路８５０では、その識別符号ＩＤの値が「００００  ０００１」であるか否かを判別する。この場合、起動ＡＣＫパケットの識別符号の値が「００００  ０００１」となっているので、前回通過した起動パケットに応答するパケットであると判別して、その結果をパケット生成部８３６および識別符号生成回路８５２に転送処理を指示する信号を供給して、その起動ＡＣＫパケットを識別符号生成回路８５２に転送する。これにより、識別符号生成回路８５２では受けた起動ＡＣＫパケットの識別符号ＩＤの値に“１”を加算して、その値を「００００  ００１０」としたパケットをパケット生成部８３６に供給する。次いで、パケット生成部８３６では、識別符号生成回路８５２からの起動ＡＣＫパケットを光側パケット挿入検出部８０６の切替スイッチ８２２に供給する。この結果、識別符号が書き換えられた起動ＡＣＫパケットは、切替スイッチ８２２から光物理層終端部８０２への復路線に挿入される。その起動ＡＣＫパケットを受けた光物理層終端部８０２では、そのパケットを光信号に変換して光ファイバ伝送路４０を介して光変換ブリッジ５０に転送する。
【００６０】
次に、光変換ブリッジ５０では、起動ＡＣＫパケットを光物理層終端部５１０において電気信号に変換して、これを制御パケット挿入検出部５０８の検出線５２８を介して制御部５１２に取り込む。この場合も起動ＡＣＫパケットはＭＡＣスイッチ５０４に供給されるが、そのパケット長が通常のフレームより短いため廃棄されて、上流側には通過しない。起動ＡＣＫパケットを受けた制御部５１２では、起動ＡＣＫパケットを所定の回数受信したか否かが判定されて、所定の回数起動ＡＣＫパケットを検出すると、パケット間ギャップの待ち時間をカウントして、その時間が経過すると、試験パケットを生成して送信する。この場合、タイムアウト時間、たとえば試験パケットを複数回ループバックする時間が設定されて、そのタイムアウト時間が所定の時間経過したか否かまたはスイッチがオフとされたか否かが判定される。否と判定された場合は、試験パケットを受信したか否かが判定されて、試験パケットを受信していなければ、その工程が繰り返される。次に、生成された試験パケットは、試験パケット挿入検出部５０６の切替スイッチ５２２によりその往路線に挿入されて、ＭＡＣスイッチ５０４を介して光物理層終端部５１０に供給される。光物理層終端部５１０に供給された試験パケットは、光信号に変換されて光ファイバ伝送４０を介して中継装置の第１の中継器８０に供給される。
【００６１】
次に、光変換ブリッジ５０から光ファイバ伝送路４０を介して試験パケットを受けた第１の中継器８０では、その試験パケットを光物理層終端部８０２により電気信号に変換して往路線に供給する。往路線を介してＭＡＣスイッチ８０４に供給された試験パケットは、通常のイーサネットフレームと同様にＭＡＣスイッチ８０４からその下流側の往路線に転送されて電気物理層終端部８１０に供給され、さらに電気物理層終端部８１０から電気伝送路３００を介して第２の中継器９０に転送される。電気伝送路３００からの試験パケットを受けた第２の中継器では、そのパケットを電気物理層終端部９０２からＭＡＣスイッチ９０４の往路線に供給し、さらにＭＡＣスイッチ９０４からその下流側の往路線を介して光物理層終端部９１０に転送する。光物理層終端部９１０に供給された試験パケットは、再び光信号に変換されて光ファイバ伝送路４０を介して光変換リピータ６０に転送される。
【００６２】
次に、光変換ブリッジ５０から中継装置７０を介して試験パケットを受けた光変換リピータ６０では、その試験パケットを光物理層終端部６０２において再び電気信号に変換してＭＡＣスイッチ６０４への往路線に供給する。次に、ＭＡＣスイッチ６０４では、試験パケットを通常のフレームと同様にその下流側の往路線に出力して電気物理層終端部６１０に転送する。次に、電気物理層終端部６１０では往路線を介して転送された試験パケットをその終端点にて折り返して復路線にループバックする。復路線にループバックされた試験パケットは、再びＭＡＣスイッチ６０４に入力してその上流側の復路線に出力され、さらに光物理層終端部６０２において光信号に変換されて光ファイバ伝送路４０に供給される。次に、光変換リピータ６０によりループバックされた試験パケットは、光ファイバ伝送路４０を介して中継装置７０の第２の中継器９０に転送されて、上記と反対にその光物理層終端部９１０からＭＡＣスイッチ９０４を通して電気物理層終端部９０２に転送されて、さらに電気伝送路３００を介して第１の中継器８０に転送される。次に、第１の中継器８０では、第２の中継器と同様に、電気伝送路３００からの試験パケットを電気物理層終端部８１０からＭＡＣスイッチ８０４を通して光物理層終端部８０２に転送して、再び光信号に変換して光変換ブリッジ５０への光ファイバ伝送路４０に転送する。
【００６３】
次に、光変換リピータ６０から中継装置７０の第１および第２の中継器８０，９０を介してループバックされた試験パケットを受けた光変換ブリッジ５０ではその試験パケットが光物理層終端部５１０において電気信号に変換されて、ＭＡＣスイッチ５０４への復路線に転送される。さらにＭＡＣスイッチ５０４を通ってその上流側の復路線に出力された試験パケットは、試験パケット挿入検出部５０６の検出線５２４を介して取り込まれて制御部５１２に供給される。次に、制御部５１２では、そのパケット検出部５４２によりループバックされた試験パケットを検出すると、これをパケット比較部５４４に供給する。次に、パケット比較部５４４では、受信した試験パケットとパケット生成部５３６から送信した試験パケットが一致するか否かを判定する。この際、試験パケットが一致していないと判定されると、緑のＬＥＤが点灯していれば、これを消灯し、また、リモート制御装置にループバックが正常でないことを通知する。試験パケットが一致していると判定されると、緑のＬＥＤを点灯して、さらにリモート制御装置にループバックが正常であることを通知する。次いで、上記と同様に繰り返して、所定の時間あるいはループ試験スイッチ５１６がオフとされると、パケット生成部５３６において終了パケットを生成して送信する。次いで、パケット間ギャップのタイミング時間をカウントして所定の回数終了パケットを生成して送信すると、ＭＡＣスイッチ５０４および電気物理層終端部５０２をノーマルモードに戻し、さらにＬＥＤを消灯して、光変換ブリッジ５０での遠隔ループ試験状態が解除される。
【００６４】
次に、パケット生成部５３６により生成された終了パケットは、切替スイッチ５２６から光物理層終端部５１０を通って光ファイバ伝送路４０に送出される。次に、光ファイバ伝送路４０からの終了パケットを受けた中継装置７０では、第１の中継器８０において電気信号に変換して入力し、起動パケットの場合と同様にその識別符号ＩＤの値から自装置宛でないパケットであることを判定して、その値を“１”減算して第２の中継器９０に転送する。同様に、第２の中継器９０では終了パケットを入力すると、その識別符号ＩＤの値から“１”減算して光ファイバ伝送路４０を介して光変換リピータ６０に転送する。次に、光変換リピータ６０では、光物理層終端部６０２から検出線６２４を介して終了パケットを制御部６１２に取り込む。これにより、制御部６１２の制御によりＭＡＣスイッチ６０４および電気物理層終端部６１０をノーマルモードに戻し、次いで、タイムカウントをクリアして、さらに、ＬＥＤを消灯して、ループバック試験が終了する。
【００６５】
次に、光変換ブリッジ５０から中継装置７０の第２の中継器９０をループバック試験する場合には、まず、光変換ブリッジ５０において第２の中継器９０へのループ試験スイッチ５１６をオンとすると、上記と同様にその制御部５１２により電気物理層終端部５０２を全２重のアイソレートモードとし、ＭＡＣスイッチ５０４を全２重モードとした状態にして、パケット生成部５３６から第２の中継器９０宛の起動パケットを生成する。この場合、起動パケットの識別符号の値として「００００  ０００１」が付与される。生成された起動パケットは、制御パケット挿入検出部５０８から光物理層終端部５１０を介して光ファイバ伝送路４０に送られる。光ファイバ伝送路４０からの起動パケットを受けた中継装置の第１の中継器８０では、上記と同様に起動パケットを光側パケット挿入検出部８０６を介して制御部８１２に取り込んで、その識別符号の値が自装置宛であるか否かを判別する。この場合、その値が「００００  ００００」ではないので、識別符号生成回路８５２によりその値から“１”減算してパケット生成部８３６に転送する。パケット生成部８３６からの起動パケットは、上記と同様に電気側パケット挿入検出部８０８から電気物理層終端部８１０を介して電気伝送路３００に送られる。電気伝送路３００からの起動パケットを受けた第２の中継器９０ではその起動パケットを上記と同様に電気側パケット挿入検出部９０６を介して制御部９１２に取り込んで、その識別符号の値が自装置宛か否かを判別する。この場合、その値が「００００  ００００」となっているので、自装置宛の起動パケットと判定し、その結果をＰＨＹ設定部９３２、ＭＡＣスイッチ設定部９３４、パケット生成部９３６および識別符号生成回路９５２に通知する。これにより、光物理層終端部９１０がループバックモードに設定され、ＭＡＣスイッチが全２重モードに設定されたループ試験状態となる。この状態において、パケット生成部９３６において起動パケットに対する起動ＡＣＫパケットが生成されて、電気側パケット挿入検出部９０６の切替スイッチ９２２から電気物理層終端部９０２に送られ、さらに電気伝送路３００に送出される。電気伝送路３００からの起動ＡＣＫパケットを受けた第１の中継器８０では、上記と同様に起動ＡＣＫパケットを制御部８１２に取り込んで、その値に”１“加算して光変換ブリッジ５０への光ファイバ伝送路４０に転送する。
【００６６】
次に、第１の中継器８０を介して第２の中継器９０からの起動ＡＣＫパケットを受けた光変換ブリッジ５０では、上記と同様に、その起動ＡＣＫパケットを制御パケット挿入検出部５０８の検出線５２８を介して制御部５１２に取り込むと、上記と同様に、パケット生成部５３６において試験パケットを生成する。生成された試験パケットは、上記と同様に、試験パケット挿入検出部５０６の切替スイッチ５２２からＭＡＣスイッチ５０４を介して光物理層終端部５１０に供給されて、さらに光ファイバ伝送路４０を介して中継装置の第１の中継器８０に転送される。試験パケットを受けた第１の中継器８０では、上記と同様に、入力した試験パケットを光物理層終端部８０２からＭＡＣスイッチ８０４を介して電気物理層終端部８１０に転送し、さらに電気伝送路３００を介して第２の中継器９０に転送する。光変換ブリッジ５０からの試験パケットを第１の中継器８０を介して受けた第２の中継器９０では、入力した試験パケットを電気物理層終端部９０２からＭＡＣスイッチ９０４を介して光物理層終端部９１０に転送し、ここで折り返してＭＡＣスイッチ９０４にループバックする。ループバックされた試験パケットは、さらにＭＡＣスイッチ９０４から電気物理層終端部９０２に転送されて第１の中継器８０への電気伝送路３００に送出される。第２の中継器９０からループバックされた試験パケットを受けた第１の中継器８０では、上記と反対の経路により試験パケットを光変換ブリッジ５０への光ファイバ伝送路４０に転送する。これにより、第２の中継器９０によりループバックされた試験パケットが第１の中継器８０を介して光変換ブリッジ５０に転送される。ループバックされた試験パケットを受けた光変換ブリッジ５０では、上記と同様に、その試験パケットが光物理層終端部５１０において電気信号に変換されて、ＭＡＣスイッチ５０４への復路線に転送される。さらにＭＡＣスイッチ５０４を通ってその上流側の復路線に出力された試験パケットは、試験パケット挿入検出部５０６の検出線５２４を介して取り込まれて制御部５１２に供給される。次に、制御部５１２では、そのパケット検出部５４０によりループバックされた試験パケットを検出すると、これをパケット比較部５４４に供給する。次に、パケット比較部５４４では、受信した試験パケットとパケット生成部５３６から送信した試験パケットが一致するか否かを判定する。この際、試験パケットが一致していないと判定されると、緑のＬＥＤ５１４が点灯していれば、これを消灯し、また、リモート制御装置にループバックが正常でないことを通知する。試験パケットが一致していると判定されると、緑のＬＥＤ５１４を点灯して、さらにリモート制御装置にループバックが正常であることを通知する。次いで、上記と同様に繰り返して、所定の時間あるいはループ試験スイッチ５１６がオフとされると、パケット生成部５３６において終了パケットを生成して送信する。次いで、パケット間ギャップのタイミング時間をカウントして所定の回数終了パケットを生成して送信すると、ＭＡＣスイッチ５０４および電気物理層終端部５０２をノーマルモードに戻し、さらにＬＥＤを消灯して、光変換ブリッジ５０での遠隔ループ試験状態が解除される。一方、生成された終了パケットは、上記と同様に制御パケット挿入検出部５０８の切替スイッチ５２６から光物理層終端部５１０を介して光ファイバ伝送路４０に送出されて、上記と同様に第１の中継器８０の制御部８１２により”１“減算された識別符号が付与されて第２の中継器９０に転送される。第２の中継器９０では、終了パケットを受けると、通常モードに戻りループバック試験を終了する。
【００６７】
次に、光変換ブリッジ５０から中継装置７０の第１の中継器８０をループバック試験する場合には、まず、第１の中継器８０へのループ試験スイッチ５１６をオンとすると、光変換ブリッジ５０では、上記と同様にその制御部５１２の制御により電気物理層終端部５０２をアイソレートモードとした状態にして、第１の中継器８０宛の起動パケットを生成する。この場合、起動パケットの識別符号の値として「００００  ００００」が付与される。生成された起動パケットは、上記と同様に、制御パケット挿入検出部５０８から光物理層終端部５１０を介して光ファイバ伝送路４０に送られる。光ファイバ伝送路４０からの起動パケットを受けた中継装置の第１の中継器８０では、上記と同様に起動パケットを光側パケット挿入検出部８０６により制御部８１２に取り込んで、その識別符号の値が自装置宛であるか否かを判別する。この場合、その値が「００００  ００００」となっているので、自装置宛の起動パケットと判定して、その結果をＰＨＹ設定部８３２、ＭＡＣスイッチ設定部８３４、パケット生成部８３６および識別符号生成回路８５２に通知する。これにより、電気物理層終端部８１０がループバックモードに設定され、ＭＡＣスイッチ８０４が全２重モードに設定された状態となる。この状態において、パケット生成部８３６により起動パケットに対する起動ＡＣＫパケットが生成されて、光側パケット挿入検出部８０６の切替スイッチ８２２から光物理層終端部８０２に送られ、さらに光変換ブリッジ５０への光ファイバ伝送路４０に送出される。以下上記と同様に、起動ＡＣＫパケットを受けた光ブリッジ５０から試験パケットを生成して光ファイバ伝送路４０に送出すると、その試験パケットが第１の中継器８０においてその電気物理層終端部８１０によりループバックされて再び光ファイバ伝送路４０を介して光変換ブリッジ５０に返送される。次に、ループバックされた試験パケットを受けた光変換ブリッジ５０では、上記と同様に、試験パケットの正常性を判定してその結果をＬＥＤの点灯またはリモート装置への通知により報知し、その後、第１の中継器８０宛の終了パケットを送信してループバックモードを解除する。終了パケットを受けた第１の中継器８０では、その終了パケットに基づいてループバック状態を解除して、第１の中継器８０でのループバック試験が終了する。
【００６８】
次に、図１０には、中継装置７０の第１または第２の中継器８０，９０から光変換リピータ６０へのループバック試験をする場合が示されている。第１の中継器８０からループバック試験をする場合、まず、光変換ブリッジ５０の場合と同様に、ループ試験スイッチ８１６をオンとすると、光物理層終端部８０２が全２重のアイソレートモードに設定され、かつＭＡＣスイッチ８０４が全２重モードに設定される。次に、制御部８１２のパケット生成部８３６により光変換リピータ６０宛の起動パケットが生成されて、第２の中継器９０を介して光変換リピータ６０に送信される。この際、起動パケットの識別符号ＩＤの値として「００００  ０００１」が付与される。第１の中継器８０からの起動パケットを受けた第２の中継器９０では、上記と同様に、制御部９１２に起動パケットを取り込むとその識別符号ＩＤの値から自装置宛か否かを判別する。この場合、その値が「００００  ００００」ではないので、その値から“１”減算して転送する。次に、第２の中継器９０を介して第１の中継器８０からの起動パケットを受けた光変換リピータ６０では、上記と同様に光物理層終端部６０２からの起動パケットを制御パケット挿入検出部６０６の検出線６２４を介して制御部６１２に取り込んで所定の回数の起動パケットを検出すると、電気物理層終端部６１０をループバックモードに設定し、さらに、そのパケットに対する起動ＡＣＫパケットを生成して出力する。生成された起動ＡＣＫパケットは、上記と同様に切替スイッチ６２２から光物理層終端部６０２を介して光ファイバ伝送路４０に送出される。光ファイバ伝送路４０からの起動ＡＣＫパケットは、上記と同様に第２の中継器９０においてその識別符号に“１”加算されて第１の中継器９０に転送される。第２の中継器９０を介して光変換リピータ６０からの起動ＡＣＫパケットを受けた第１の中継器８０では、光変換ブリッジ５０の場合と同様に、試験パケットを生成して電気物理層終端部８１０を介して電気伝送路３００に送出する。電気伝送路３００からの試験パケットは、第２の中継器９０に転送され、さらに光ファイバ伝送路４０を介して光変換リピータ６０に転送される。試験パケットを受けた光変換リピータ６０では、上記と同様に、光物理層終端部６０２から入力した試験パケットをＭＡＣスイッチ６０４から電気物理層終端部６１０に送ると、電気物理層終端部６１０において折り返して、再びＭＡＣスイッチ６０４から光物理層終端部６０２にループバックし、さらに光ファイバ伝送路４０を介して第２の中継器９０に転送する。第２の中継器９０では、ループバックされた試験パケットを上記と反対の経路により転送して、さらに電気伝送路３００を介して第１の中継器８０に転送する。第２の中継器９０を介して光変換リピータ６０からのループバックされた試験パケットを受けた第１の中継器８０では、そのパケットの正常性を判定して、その結果をＬＥＤの点灯またはリモート制御装置への通知により外部に報知する。その後、スイッチオフまたは所定の時間が経過すると、終了パケットを生成して光変換リピータ６０に送り、自装置を通常の状態に戻す。生成された終了パケットが上記と同様に、第２の中継器９０を介して光変換リ��ータ６０に供給されると、そのパケットに基づいて光変換リピータ６０は、ループバックモードを解除して、第１の中継器８０から光変換リピータ６０へのループバック試験が終了する。
【００６９】
同様に、第２の中継器９０から光変換リピータ６０へのループバック試験をする場合には、第２の中継器９０でのループ試験スイッチ９１６をオンとすると、その電気物理層終端部９０２が全２重のアイソレートモードに設定され、かつＭＡＣスイッチ９０４が全２重モードに設定されてループ試験可能な状態となる。次に、パケット生成部９３６により光変換リピータ６０宛の起動パケットが生成されて、光側パケット挿入検出部９０８の切替スイッチ９２６から光物理層終端部９１０を介して光ファイバ伝送路４０に送信される。光ファイバ伝送路４０からの起動パケットを受けた光変換リピータ６０では、上記と同様に、電気物理層終端部６１０をループバックモードに設定し、かつＭＡＣスイッチ６０４を全２重モードに設定する。次いで、起動パケットに対する起動ＡＣＫパケットを生成して、これを第２の中継器９０に返送する。光変換リピータ６０からの起動ＡＣＫパケットを受けた第２の中継器９０では、光変換ブリッジ５０または第１の中継器８０と同様に、試験パケットを生成して光ファイバ伝送路４０を介して光変換リピータ６０に送信する。試験パケットを受けた光変換リピータ６０は、上記と同様にその電気物理層終端部６１０において試験パケットを折り返して、光ファイバ伝送路４０を介して第２の中継器９０にループバックする。ループバックされた試験パケットを受けた第２の中継器９０では、その正常性を判定してその結果をＬＥＤの点灯またはリモート制御装置への通知により外部に報知する。次いで、スイッチオフまたは所定の時間が経過すると、終了パケットを生成して光変換リピータ６０に送信する。その後、両装置９０，６０では、ループバックモードを解除して、第２の中継器９０から光変換リピータ６０へのループバック試験が終了する。
【００７０】
次に、自己ループ試験について説明すると、このループ試験は、光変換ブリッジ５０および中継装置７０の第１もしくは第２の中継器８０，９０ならびに光変換リピータ６０ともに同様の動作であるので、たとえば、光変換ブリッジ５０について説明すると、まず、ループ試験スイッチ５１６に設けられた自己ループスイッチまたはリモート制御装置の制御により、スイッチがオンとなると、ＭＡＣスイッチ５０４を全２重モードに設定し、電気物理層終端部５０２をアイソレートモードおよび光物理層終端部５１０をループバックモードにそれぞれ設定する。ついで、パケット間ギャップのタイミングをとり、さらに黄色のＬＥＤを点灯する。次いで、パケット間ギャップの経過の後、パケット生成部５３６において試験パケットを生成する。これにより、試験パケットは切替スイッチ５２２を介して往路線に挿入されて、ＭＡＣスイッチ５０４から光物理層終端部５１０に供給される。光物理層終端部５１０では、往路線からの試験パケットを折り返して復路線に供給し、ＭＡＣスイッチ５０４からその復路線に出力される。これにより、試験パケット挿入検出部５０６の検出線５２４を介して自己ループによる試験パケットが制御部５１２に検出される。
【００７１】
この際、制御部５１２では、試験パケットを検出すると、送信した試験パケットと自己ループにより受信した試験パケットが一致するか否かを判定する。その結果一致しなければ、緑のＬＥＤを消灯し、リモート制御装置に異常を通知する。パケットの一致が検出されると、緑のＬＥＤを点灯し、リモート制御装置に自己ループが正常であることを通知する。次いで、上記と同様に、タイムアウトまたはスイッチオフが検出されると、ＭＡＣスイッチ５０４をノーマル状態に戻し、さらに電気物理層終端部５０２および光物理層終端部５１０をノーマル状態に戻す。次いで、ＬＥＤを消灯して、自己ループ試験を終了する。
【００７２】
以上のように本実施形態のＬＡＮ間接続システムおよびそのループバック試験方法によれば、安価なブリッジ方式の光変換ブリッジ５０および中継装置７０ならびに光変換リピータ６０を用いてユーザＬＡＮ１０を通信事業者の広域ＬＡＮ２０に接続することができる。この場合、事業者側の光変換ブリッジ５０および中継装置７０の第１もしくは第２の中継器８０，９０により宅内側の光変換リピータ６０へのループバック試験を有効に実行することができる。特に、起動パケットおよび起動ＡＣＫパケットなどの制御パケットを通常のイーサネットフレームのパケット長よりも短いパケットを用いているので、ループバック試験の際のブロードキャストアドレスのパケットがユーザＬＡＮ１０あるいは広域ＬＡＮ２０さらに他の網に流出することがなく、他のトラフィックに悪影響を及ぼすことない確実な試験を実行することができる。さらに、事業者側において光変換ブリッジ５０から中継装置７０の第１の中継器８０または第２の中継器９０へのループバック試験を自在に実行することができるので、いずれの伝送路において障害が発生しているかを有効に特定することができる。その際、起動パケットおよび起動ＡＣＫパケットにいずれの中継器８０，９０を通過したかを表わす識別符号を付与して転送するので、光変換リピータ６０を含むそれぞれの装置へのループバック試験の際に、有効に試験先の装置を選択してループバック試験を的確に実行することができる。したがって、光ファイバ伝送路４０および宅内側の光変換リピータ６０の故障などを迅速に検出してその保守管理の品質の向上を図ることができ、優れたサービスをユーザに提供することができる。また、第１の中継器８０または第２の中継器９０には、制御パケットの識別符号の値を加算また減算する簡易な演算回路を適用しているので、装置を安価にかつ小型に構成することができる。
【００７３】
なお、上記実施形態では、光ファイバ伝送路４０を１００ＭＢｐｓの伝送帯域としたが、本発明においては、もちろん任意の伝送帯域のものを適用してよい。また、上記実施形態では、中継点を１か所のみとした場合を例に挙げて説明したが、本発明においては、中継点が複数存在する場合にももちろん適用することができる。さらに、上記実施形態では、制御パケットとして通常ＬＡＮにおいて転送されるイーサネットネットフレームの最短パケット長よりも短いパケットを適用してそれぞれの装置のＭＡＣスイッチにおいて破棄する場合を例に挙げて説明したが、本発明においては、制御パケットがＬＡＮ側に流出することなく、有効に破棄されるものであれば、いずれの形態のものでもよい。たとえば図１１に示すように、制御パケットとしてパケットパターンと識別符号を付与した通常のイーサネットフレームと同様のデータ長に形成して、その誤り訂正符号として強制的に誤りを挿入したパケットを生成して転送するようにしてもよい。
【００７４】
【発明の効果】
以上説明したように本発明のＬＡＮ間接続システムによれば、ユーザＬＡＮと通信事業者の広域ＬＡＮとを１以上の中継地を介した光ファイバ伝送路により接続するＬＡＮ間接続システムであって、通信事業者側に設置されて広域ＬＡＮと光ファイバ伝送路との間に伝送する所定のデータフレームを電気−光変換してそのデータフレームを媒体アクセス制御により転送する第１の変換装置と、ユーザ宅内に設置されてユーザＬＡＮと光ファイバ伝送路との間に伝送するデータフレームを電気−光変換してそのデータフレームを媒体アクセス制御により転送する第２の変換装置と、それぞれの中継地に設置されて電気伝送路により相互に接続された第１および第２の中継器を含む中継装置であって、それぞれ光ファイバ伝送路により転送されるデータフレームを電気−光変換してそのデータフレームを媒体アクセス制御により転送する第１および第２の中継器を含む中継装置とを有し、第１の変換装置は、第２の変換装置または中継装置の第１もしくは第２の中継器との間のループバック試験をそれぞれ制御する制御パケットであってその制御パケットを受けた第１の変換装置または中継装置の第１もしくは第２の中継器でのデータフレームの転送処理の際に破棄される制御パケットを送出し、さらにデータフレームと同様のパケットに形成された試験パケットを送出してループバック試験をする制御手段を含み、さらに、中継装置の第１および第２の中継器は、第１の変換装置から第２の変換装置または下位の第１もしくは第２の中継器への制御パケットまたはその応答パケットが自装置を通過する際に、それらのパケットに自装置を通過したことを表わす識別符号を付与して転送する識別符号付与手段を含み、第２の変換装置と中継装置の第１および第２の中継器は、それぞれ第１の変換装置からの制御パケットに基づいてユーザ側との物理層終端点をループバック状態に設定して、光ファイバ伝送路または電気伝送路を介して受信した試験パケットを前記第１の変換装置に折り返してループバック制御する制御手段を含むので、通信事業者側の光変換ブリッジから宅内側の光変換リピータまたは中継装置の第１もしくは第２の中継器へのループバック試験を有効に実施することができる安価なブリッジ方式のＬＡＮ間接続を実現することができる。
【００７５】
また、中継装置の第１および第２の中継器は、それぞれ第２の変換装置との間のループバック試験を制御する制御パケットであってその制御パケットを受けた第１の変換装置でのデータフレームの転送処理の際に破棄される制御パケットを送出し、さらにデータフレームと同様のパケットに形成された試験パケットを送出して第２の変換装置との間のループバック試験をする制御手段を含むので、中継装置の第１または第２の中継器から宅内側の光変換リピータへのループバック試験を有効に実施することができる。
【００７６】
また、制御パケットは、光ファイバ伝送路を介して転送処理するデータフレームの最短パケット長よりもさらに短いパケット長に形成されたパケットであり、少なくとも、ループバック試験の制御の種別を表わす所定のパターンと、いずれの装置への制御パケットであるかを表わす識別符号とを含むので、中継装置を介した光変換リピータとの制御パケットのやりとりを有効に行なうことができ、特に、ＭＡＣスイッチにより広域ＬＡＮ側への通過を阻止されて廃棄されるので、その流出による悪影響が生じない。
【００７７】
また、制御パケットは、光ファイバ伝送路を介して転送処理するデータフレームのパケット長と同様の長さのパケットであって、少なくとも、ループバック試験の制御の種別を表わす所定のパターンと、いずれの装置への制御パケットであるかを表わす識別符号と、制御パケットの誤り訂正符号であって強制的に誤りを含ませた誤り訂正符号とを含むので、中継装置を介した宅内側の光変換リピータとの制御パケットのやりとりを有効に行なうことができ、特に、ＭＡＣスイッチにより広域ＬＡＮ側への通過を阻止されて廃棄されるので、その流出による悪影響が生じない。
【００７８】
また、第１の変換装置または中継装置の第１もしくは第２の中継器のそれぞれの制御手段は、識別符号としてループバック試験をする装置のうち下位の装置に至るほど大となる値の識別符号を制御パケットに付加して送信し、中継装置の第１および第２の中継器の識別符号付与手段は、第１の変換装置からの制御パケットが自装置を通過する際に、その識別符号から所定の値を減算して転送し、その応答パケットが通過する際に所定の値を加算して転送するので、光変換ブリッジまたは第１の中継器からそれぞれの装置へのループバック試験をする際に、第１の中継器または第２の中継器を通過した制御パケットを有効に識別して転送することができる。その際、第１の中継器または第２の中継器では、簡易な演算装置により識別符号付与手段を形成することができ、安価な、かつ小型の装置を構成することができる。
【００７９】
また、第１の変換装置は、広域ＬＡＮと接続された電気物理層を終端する電気物理層終端手段と、光ファイバ伝送路と接続された光物理層を終端する光物理層終端手段と、終端手段間においてデータフレームをそのＭＡＣアドレスに従って転送するＭＡＣスイッチと、ＭＡＣスイッチと光物理層終端手段との間において制御手段からの制御パケットを光ファイバ伝送路への送信経路に挿入してその制御パケットに対する第２の変換装置または中継装置の第１もしくは第２の中継器からの応答パケットを受信経路から検出する第１のパケット挿入検出手段と、ＭＡＣスイッチと電気物理層終端手段との間において制御手段からの試験パケットを光ファイバ伝送路への送信経路に挿入してその光ファイバ伝送路を介してループバックされた試験パケットを受信経路から検出する第２のパケット挿入検出手段とを含むので、宅内側の光変換リピータまたは中継装置の第１もしくは第２の中継器との制御パケットのやりとりおよび試験パケットのループバックを有効に行なうことができる。特に、制御パケットはＭＡＣスイッチにより広域ＬＡＮ側への通過を阻止されて廃棄されるので、その流出による悪影響が生じない。
【００８０】
また、第１の変換装置の制御手段は、少なくとも、ループバック試験の際にその起動パケットおよび終了パケットを含む制御パケットならびに試験パケットをそれぞれ生成するパケット生成手段と、起動パケットに対する応答パケットおよびループバックされた試験パケットを検出するパケット検出手段と、ループバックされた試験パケットが送信した試験パケットと一致するか否かを比較するパケット比較手段と、その結果を外部に報知する報知手段とを含むので、ループバック試験の際の光変換リピータまたは中継装置の第１もしくは第２の中継器の起動および停止を有効に制御することができ、かつループバックされた試験パケットによる試験結果を有効に報知することができる。
【００８１】
また、中継装置の第１および第２の中継器はそれぞれ、光ファイバ伝送路と接続された光物理層を終端する光物理層終端手段と、電気伝送路と接続された電気物理層を終端する電気物理層終端手段と、これら終端手段間においてデータフレームをそのＭＡＣアドレスに従って転送するＭＡＣスイッチと、ＭＡＣスイッチと光物理層終端手段または電気物理層終端手段との間において制御パケットをその受信経路から検出して自装置の制御手段に供給し、制御手段からの応答パケットを光ファイバ伝送路への送信経路に挿入するパケット挿入検出手段とを含むので、光変換ブリッジとの間のループバック試験を有効に、かつ確実に実行することができる。
【００８２】
また、第１および第２の中継器の制御手段は少なくとも、第１の変換装置からの起動パケットおよび終了パケットを含む制御パケットをそれぞれ検出するパケット検出手段と、パケット検出手段により検出した制御パケットの識別符号を所定の値と比較して自装置宛のパケットか否かを識別する符号識別手段と、符号識別手段により検出した識別符号が自装置宛のものでない場合にその識別符号に所定の値を加算または減算する識別符号演算手段と、符号識別手段により自装置宛の起動パケットを検出した際にその応答パケットを生成し、他の装置宛の制御パケットを検出した際に識別符号演算手段により演算した結果を制御パケットに付加するパケット生成手段と、符号識別手段により自装置宛の起動パケットを検出した際に光物理層終端手段または電気物理層終端手段をループバック状態に設定し、終了パケットを受けた際にループバック状態を解除するループ設定解除手段とを含むので、事業者側の光変換ブリッジとの制御パケットのやりとりおよび試験パケットのループバックを有効に行なうことができ、また、光変換ブリッジから光変換リピータへのループバック試験の際に制御パケットおよび試験パケットを有効に、かつ確実に転送することができる。
【００８３】
また、第１または第２の中継器は、ＭＡＣスイッチと電気物理層終端手段または光物理層終端手段との間において制御手段からの制御パケットを第２の変換装置への送信経路に挿入してその制御パケットに対する第２の変換装置からの応答パケットを受信経路から検出する第１のパケット挿入検出手段と、ＭＡＣスイッチと光物理層終端手段または電気物理層終端手段との間において制御手段からの試験パケットを第２の変換装置への送信経路に挿入して、そのループバックされた試験パケットを受信経路から検出する第２のパケット挿入検出手段とを含み、その制御手段は、ループバック試験の際にその起動パケットおよび終了パケットを含む制御パケットならびに試験パケットをそれぞれ生成するパケット生成手段と、起動パケットに対する応答パケットおよびループバックされた試験パケットを検出するパケット検出手段と、ループバックされた試験パケットが送信した試験パケットと一致するか否かを比較するパケット比較手段と、その結果を外部に報知する報知手段とを含むので、光変換リピータへのループバック試験を有効に、かつ確実に実行することができる。
【００８４】
また、第２の変換装置は、ユーザＬＡＮと接続された電気物理層を終端する電気物理層終端手段と、光ファイバ伝送路と接続された光物理層を終端する光物理層終端手段と、これら終端手段間においてデータフレームをそのＭＡＣアドレスに従って転送するＭＡＣスイッチと、ＭＡＣスイッチと光物理層終端手段との間において第１の変換装置または中継装置の第１もしくは第２の中継器からの制御パケットをその受信経路から検出して制御手段に供給し、制御手段からの応答パケットを光ファイバ伝送路への送信経路に挿入するパケット挿入検出手段とを含むので、事業者側の光変換ブリッジまたは中継装置の第１もしくは第２の中継器との制御パケットのやりとりおよび試験パケットのループバックを有効に行なうことができる。特に、制御パケットはＭＡＣスイッチによりユーザＬＡＮ側への通過を阻止されて廃棄されるので、その流出による悪影響が生じない。
【００８５】
また、第２の変換装置の制御手段は少なくとも、第１の変換装置または中継装置の第１もしくは第２の中継器からの起動パケットおよび終了パケットを含む制御パケットをそれぞれ検出するパケット検出手段と、パケット検出手段において起動パケットを検出した際にその応答パケットを生成するパケット生成手段と、パケット検出手段において起動パケットを受けた際に電気物理層終端手段をループバック状態に設定し、終了パケットを受けた際にループバック状態を解除するループ設定解除手段とを含むので、ループバック試験の際に光変換ブリッジまたは第１の中継器もしくは第２の中継器からの起動および停止を有効に制御することができ、その際の試験パケットのループバック制御を確実に実施することができる。
【００８６】
本発明のループバック試験方法によれば、ユーザＬＡＮと通信事業者の広域ＬＡＮとを１以上の中継地を介した光ファイバ伝送路により接続するＬＡＮ間接続システムにおけるループバック試験方法であって、通信事業者側にその広域ＬＡＮと光ファイバ伝送路との間に伝送する所定のデータフレームを電気−光変換してそのデータフレームを媒体アクセス制御により転送する第１の変換装置を用意し、ユーザ宅内側にそのユーザＬＡＮと光ファイバ伝送路との間に伝送するデータフレームを電気−光変換してそのデータフレームを媒体アクセス制御により転送する第２の変換装置を用意し、さらにそれぞれの中継地に電気伝送路により相互に接続された第１および第２の中継器を含む中継装置であって、それぞれ光ファイバ伝送路により転送されるデータフレームを電気−光変換してそのデータフレームを媒体アクセス制御により転送する第１および第２の中継器を含む中継装置を用意し、第１の変換装置から第２の変換装置または中継装置の第１もしくは第２の中継器のうち所望の装置にループバック試験を指示する起動パケットであってその検出後に破棄される起動パケットをそれぞれの中継地を介した光ファイバ伝送路により送信し、起動パケットが通過する中継地では、その中継装置の第１および第２の中継器により起動パケットに付加された識別符号の値に基づいてそのパケットが自装置宛のパケットであるか否かを判断して、自装置宛のパケットでない場合に、その起動パケットに自装置を通過したことを表わす識別符号を付与して転送し、起動パケットを受信した第２の変換装置または中継装置の第１もしくは第２の中継器の所望の装置では、ユーザＬＡＮとの電気物理層終端点またはユーザ側との光物理層終端点もしくは第２の中継器との電気物理層終端点をループバック状態に設定し、その起動パケットに対して第１の変換装置に応答する応答パケットであってその検出後に破棄される応答パケットを第１の変換装置に返送し、応答パケットが通過する中継地では、その中継装置の第１および第２の中継器により自装置を通過したことを表わす識別符号を付与して第１の変換装置に転送し、応答パケットを受信した第１の変換装置では、所定のデータフレームと同様のパケットに形成された試験パケットを中継地を介した光ファイバ伝送路により所望の装置に送信し、試験パケットを受信した第２の変換装置または中継装置の第１もしくは第２の中継器では、その試験パケットをユーザＬＡＮとの電気物理層終端点またはユーザ側との光物理層終端点もしくは第２の中継器との電気物理層終端点にて折り返して再び光ファイバ伝送路を介して第１の変換装置にループバックし、ループバックされた試験パケットを第１の変換装置において受信して送信した試験パケットとループバックされた試験パケットが一致するか否かを比較してその結果を外部に報知するので、制御パケットおよび試験パケットがユーザＬＡＮまたは広域ＬＡＮに送出されることなく、試験パケットがシステム内において有効にループバックされて、その試験を確実かつ有効に実施することができる。
【００８７】
また、さらに、いずれかの中継地における中継装置の第１または第２の中継器から第２の変換装置に対して起動パケットを送信し、その起動パケットが通過する下位の第１または第２の中継器では、その起動パケットに自装置を通過したことを表わす識別符号を付与して転送し、その起動パケットを受けた第２の変換装置ではその起動パケットに対する応答パケットを返送し、その応答パケットが通過する上位の第１または第２の中継器ではその通過を表わす識別符号を付加して転送し、その応答パケットを受けた起動パケットを送信した第１または第２の中継器では、所定のデータフレームと同様のパケットに形成された試験パケットを中継地を介した光ファイバ伝送路により第２の変換装置に送信し、その試験パケットを受信した第２の変換装置では、その試験パケットをユーザＬＡＮとの電気物理層終端点にて折り返して再び光ファイバ伝送路を介してループバックし、そのループバックされた試験パケットを受信した前記第１または第２の中継器では、送信した試験パケットとループバックされた試験パケットが一致するか否かを比較してその結果を外部に報知するので、ループバック試験の際の光変換リピータまたは中継装置の第１もしくは第２の中継器の起動および停止を有効に制御することができ、かつループバックされた試験パケットによる試験結果を有効に報知することができる。
【００８８】
また、第１の変換装置または中継装置の第１もしくは第２の中継器はそれぞれ、ループバック試験を終了する際に第２の変換装置または中継器の第１もしくは第２の中継器においてその検出後に破棄される終了パケットを光ファイバ伝送路を介して送信して通常のデータ通信可能な状態に戻り、終了パケットを受けた第２の変換装置または中継装置の第１もしくは第２の中継器はそれぞれの折り返し終端点のループバック設定を解除して通常のデータ通信可能な状態に戻るので、ループバック試験の後に有効に通常のデータ通信可能な状態に復帰することができる。
【００８９】
また、起動パケットおよび応答パケットならびに終了パケットは、転送処理するデータフレームの最短パケット長よりもさらに短いパケット長に形成されたパケットであり、少なくとも制御の種別を表わす所定のパターンと、いずれの装置へのパケットであるかを表わす識別符号とを含むので、中継装置を介した宅内側の光変換リピータとの制御パケットのやりとりを有効に行なうことができ、特に、ＭＡＣスイッチにより広域ＬＡＮ側への通過を阻止されて廃棄されるので、その流出による悪影響が生じない。
【００９０】
また、起動パケットおよび応答パケットならびに終了パケットは、転送処理するデータフレームのパケット長と同様の長さのパケットであって、少なくとも、制御の種別を表わす所定のパターンと、いずれの装置へのパケットであるかを表わす識別符号と、そのパケットの誤り訂正符号であって誤りを強制的に含ませた誤り訂正符号とを含むので、中継装置を介した宅内側の光変換リピータとの制御パケットのやりとりを有効に行なうことができ、特に、ＭＡＣスイッチにより広域ＬＡＮ側への通過を阻止されて廃棄されるので、その流出による悪影響が生じない。
【００９１】
また、第１の変換装置または中継装置の第１もしくは第２の中継器は、識別符号としてループバック試験をする装置のうち下位の装置に至るほど大となる値の識別符号を制御パケットに付加して送信し、中継装置の第１および第２の中継器は、前記第１の変換装置からの制御パケットが自装置を通過する際に、その識別符号から所定の値を減算して転送し、その応答パケットが通過する際に所定の値を加算して転送するので、光変換ブリッジまたは第１の中継器からそれぞれの装置へのループバック試験をする際に、第１の中継器または第２の中継器を通過した制御パケットを有効に識別して転送することができる。
【図面の簡単な説明】
【図１】  本発明によるＬＡＮ間接続システムの一実施形態を示すブロック図である。
【図２】  図１の実施形態によるＬＡＮ間接続システムが適用されたネットワーク構成を示す図である。
【図３】  図１の実施形態による光変換ブリッジの制御部の機能構成を示す機能ブロック図である。
【図４】  図１の実施形態による光変換リピータの制御部の機能構成を示す機能ブロック図である。
【図５】  図１の実施形態による中継装置の制御部の機能構成を示す機能ブロック図である。
【図６】  図１の実施形態に適用される試験パケットのフォーマット例を示す図である。
【図７】  図１の実施形態に適用される制御パケットのフォーマット例を示す図である。
【図８】  図１の実施形態に適用されるイーサネットフレームのフォーマット例を示す図である。
【図９】  図１の実施形態に適用されるループバック試験方式の手順を示すシーケンス図である。
【図１０】  図１の実施形態に適用されるループバック試験方式の手順を示すシーケンス図である。
【図１１】  本発明のＬＡＮ接続システムおよびそのループバック試験方式に適用される制御パケットの他のフォーマット例を示す図である。
【符号の説明】
１０  ユーザＬＡＮ
２０  広域ＬＡＮ
３０  中継地
４０  光ファイバ伝送路
５０  光変換ブリッジ
６０  光変換リピータ
７０  中継装置
８０  第１の中継器
９０  第２の中継器
５０２，６１０，８１０，９０２  電気物理層終端部
５０４，６０４，８０４，９０４  ＭＡＣスイッチ
５１０，６０２，８０２，９１０  光物理層終端部
５１２，６１２，８１２，９１２  制御部
５１６，８１６，９１６  ループ試験スイッチ
８４２，９４２  識別符号付与部
【図１】
0003952719.tif 000002
【図２】
0003952719.tif 000003
【図３】
0003952719.tif 000004
【図４】
0003952719.tif 000005
【図５】
0003952719.tif 000006
【図６】
0003952719.tif 000007
【図７】
0003952719.tif 000008
【図８】
0003952719.tif 000009
【図９】
0003952719.tif 000010
【図１０】
0003952719.tif 000011
【図１１】
0003952719.tif 000012